【事件の表示】
　特許第６２１３９４５号発明「カメラ付き歯科用プローブ」の特許異議申立事件について、次のとおり決定する。
【結　論】
　特許第６２１３９４５号の明細書及び特許請求の範囲を訂正請求書に添付された訂正明細書及び特許請求の範囲のとおり、訂正後の請求項〔１〜３〕、４、５、〔６〜９〕について訂正することを認める。
　特許第６２１３９４５号の請求項１〜９に係る特許を維持する。
【理　由】
第１　手続の経緯 
　特許第６２１３９４５号（以下「本件特許」という。）の請求項１〜９に係る特許についての出願は、平成２４年１２月２８日に出願され、平成２９年９月２９日にその特許権の設定登録がされ、平成２９年１０月１８日に特許掲載公報が発行された。本件特許異議の申立ての経緯は、次のとおりである。
平成３０年　４月１７日　　：特許異議申立人・土田裕介（以下「申立人」　　　　　　　　　　　　　　という。）による請求項１〜９に係る特許
　　　　　　　　　　　　　　に対する特許異議の申立て
平成３０年　７月　２日付け：取消理由通知書
平成３０年　９月　３日　　：特許権者による意見書及び訂正請求書の提出
平成３０年１１月１２日　　：申立人による意見書の提出
平成３１年　１月１８日付け：取消理由通知書（決定の予告）
平成３１年　３月２５日　　：特許権者による意見書及び訂正請求書の提出
令和　１年　５月１０日　　：申立人による意見書の提出
　なお、上記平成３０年９月３日の訂正請求は、上記平成３１年３月２５日にさらに訂正請求がなされたことから、特許法第１２０条の５第７項の規定により取り下げられたものとみなされる。そして、上記平成３１年３月２５日の訂正請求による訂正を、本決定では、以下「本件訂正」ということがある。
　また、本決定において、特許法の条文を表記する際に「特許法」という表記を省略することがある。また「甲第１号証」等を単に「甲１」などということがあり、申立人提出の特許異議申立書を単に「申立書」という。 
第２　訂正の適否
（１）訂正の内容
　特許権者が求める本件訂正の内容は、以下ア〜ノのとおりである。 （下線は、訂正部分を示すために付したものである。）
ア　訂正事項１
　特許請求の範囲の請求項１に係る記載の、
「歯周診察処置具に備える診察または処置具による診察または処置を、超小型カメラによる歯周部の診察または処置部の映像を介して、診察または処置をすることができるように構成したカメラ付き歯周診察処置具において、
　前記超小型カメラによる歯周部の診察または処置部の映像は、超小型カメラに備える表示部に表示される映像であることを特徴とするカメラ付き歯周診察処置具。」を、
「
歯周部の深さの測定を行う探針部と、先端に前記探針部を有するグリップ部と、を備えた歯科用プローブによる
察
察部
察を
歯科用プローブ
　前記超小型カメラによる歯周部の診
察部
有線又は無線を介して接続されている
　
前記探針部による歯周部の診察部にエアを噴射するエア噴射手段を設け、
　前記エア噴射手段は、先端部にエア噴射口を有するノズル部を設け、
　前記ノズル部は前記探針部の軸方向に添って配置され、
　前記エア噴射口は、前記探針部の外側及び先端よりやや上方に設けることにより、前記探針部に添ってエアが噴射するコアンダ効果を得ることができるように構成した
歯科用プローブ
イ　訂正事項２
　特許請求の範囲の請求項２に係る記載の、
「歯周診察処置具に備える診察または処置具による診察または処置を、前記診察または処置具に添設した超小型カメラによる歯周部の診察または処置部の映像を介して、診察または処置をすることができるように構成したカメラ付き歯周診察処置具において、
　前記超小型カメラによる歯周部の診察または処置部の映像は、超小型カメラに備える表示部に表示される映像であることを特徴とするカメラ付き歯周診察処置具。」を、
「
歯周部の深さの測定を行う探針部と、先端に前記探針部を有するグリップ部と、を備えた歯科用プローブの前記探針部に
察部
察を
歯科用プローブ
　前記超小型カメラによる歯周部の診
察部
有線又は無線を介して接続されている
とともに、
　前記探針部による歯周部の診察部にエアを噴射するエア噴射手段を設け、
　前記エア噴射手段は、先端部にエア噴射口を有するノズル部を設け、
　前記ノズル部は前記探針部の軸方向に添って配置され、
　前記エア噴射口は、前記探針部の外側及び先端よりやや上方に設けることにより、前記探針部に添ってエアが噴射するコアンダ効果を得ることができるように構成した
歯科用プローブ
ウ　訂正事項３
　特許請求の範囲の請求項３に係る記載の、
「前記超小型カメラに備える表示部に表示される映像は、等倍あるいは等倍乃至所要の拡大倍率による拡大映像であることを特徴とする請求項１または２記載のカメラ付き歯周診察処置具。」を、
「前記超小型カメラに
有線又は無線を介して接続されている
歯科用プローブ
エ　訂正事項４
　特許請求の範囲の請求項４に係る記載の、
「歯周診察処置具に備える診察または処置具に超小型カメラを添設するとともに当該診察または処置具による歯周部の診察または処置部にエアを噴出するエア噴出手段を添設することにより構成したカメラ付き歯周診察処置具において、
　前記超小型カメラの信号ケーブルは、少なくともその一部を前記エア噴射手段のエア供給管路の中空部分を介して配線することを特徴とするカメラ付き歯周診察処置具。」を、
「
歯周部の深さの測定を行う探針部と、先端に前記探針部を有するグリップ部と、を備えた歯科用プローブの前記探針部に
前記探針部
察部
射
射
歯科用プローブ
　前記超小型カメラの信号ケーブルは、少なくともその一部を前記エア噴射手段のエア供給管路の中空部分を介して配線
して構成するとともに、
　前記エア噴射手段は　先端部にエア噴射口を有するノズル部を設け、
　前記ノズル部は前記探針部の軸方向に添って配置され、
　前記エア噴射口は、前記探針部の外側及び先端よりやや上方に設けることにより、前記探針部に添ってエアが噴射するコアンダ効果を得ることができるように構成した
歯科用プローブ
オ　訂正事項５
　特許請求の範囲の請求項５に係る記載の、
「歯周診察処置具に備える診察または処置具に超小型カメラを添設するとともに当該診察または処置具による歯周部の診察または処置部を照明する照明手段を添設し、さらに前記歯周部の診察または処置部にエアを噴射するエア噴射手段を添設することにより構成したカメラ付き歯周診察処置具において、
　前記小型カメラの信号ケーブルは、少なくともその一部を前記エア噴射手段のエア供給管路の中空部分を介して配線することを特徴とするカメラ付き歯周診察処置具。」を、
「
歯周部の深さの測定を行う探針部と、先端に前記探針部を有するグリップ部と、を備えた歯科用プローブの前記探針部に
前記探針部
察部
察部
歯科用プローブ
　前記超小型カメラの信号ケーブルは、少なくともその一部を前記エア噴射手段のエア供給管路の中空部分を介して配線
して構成するとともに、
　前記エア噴射手段は、先端部にエア噴射口を有するノズル部を設け、
　前記ノズル部は前記探針部の軸方向に添って配置され、
　前記エア噴射口は、前記探針部の外側及び先端よりやや上方に設けることにより、前記探針部に添ってエアが噴射するコアンダ効果を得ることができるように構成した
歯科用プローブ
カ　訂正事項６
　特許請求の範囲の請求項６に係る記載の、
「歯周診察処置具に備える診察具に超小型カメラを添設するとともに前記診察具による歯周部の診察部にエアを噴出するエア噴出手段を添設し、
　かつ前記診察具を光照射部材にて形成し、さらに当該診察具自体を発光するための照明手段を備えることにより前記歯周診察処置具の診察具による歯周部の診察を、
　前記エア噴出と前記診察具自体の発光による照射にて診察部位を直接照射しつつ前記超小型カメラによる映像を介して診察することができるように構成したカメラ付き歯周診察処置具において、
　前記小型カメラの信号ケーブルは、少なくともその一部を前記エア噴射手段のエア供給管路の中空部分を介して配線することを特徴とするカメラ付き歯周診察処置具。」を、
「
歯周部の深さの測定を行う探針部と、先端に前記探針部を有するグリップ部と、を備えた歯科用プローブの前記探針部に
前記探針部
察部
射
射
探針部
探針部
歯科用プローブ
探針部
射
探針部
、
記小
歯科用プローブ
　前記
超
配線して構成するとともに、
　前記エア噴射手段は、先端部にエア噴射口を有するノズル部を設け、
　前記ノズル部は前記探針部の軸方向に添って配置され、
　前記エア噴射口は、前記探針部の外側及び先端よりやや上方に設けることにより、前記探針部に添ってエアが噴射するコアンダ効果を得ることができるように構成した
歯科用プローブ
キ　訂正事項７
　特許請求の範囲の請求項７に係る記載の、
「前記超小型カメラは、カメラユニットまたはカラーカメラモジュールを使用することにより構成したことを特徴とする請求項６記載のカメラ付き歯周診察処置具。」を、
「前記超小型カメラは、カメラユニットまたはカラーカメラモジュールを使用することにより構成したことを特徴とする請求項６記載のカメラ付き
歯科用プローブ
ク　訂正事項８
　特許請求の範囲の請求項８に係る記載の、
「前記歯周診察処置具に備える診察具は、歯科用探針または歯周ポケット探針の探針（作業部）であることを特徴とする請求項６記載のカメラ付き歯周診察処置具。」を、
「前記
歯科用プローブ
探針部
歯科用プローブ
ケ　訂正事項９
　特許請求の範囲の請求項９に係る記載の、
「前記超小型カメラによる歯周部の診察または処置部の映像上の視野の拡大率は等倍あるいは等倍乃至所要の拡大率まで拡大することができるように構成したことを特徴とする請求項６記載のカメラ付き歯周診察処置具。」を、
「前記超小型カメラによる歯周部の診
察部
歯科用プローブ
コ　訂正事項１０
　明細書の「【発明の名称】カメラ付き歯周診察処置具」を、
「【発明の名称】カメラ付き
歯科用プローブ
サ　訂正事項１１
　明細書段落【０００１】に、
「【０００１】
　本発明は、歯周の一般的な診察あるいは歯周疾患の進行を観察するとともに口腔内清掃および歯周治療時に歯の表面から歯石等の沈着物を除去したり歯周ポケット内の貼薬を行うのに用いる手用器具である歯周診察処置具に関するもので、特に当該歯周診察処置具による診察および処置を歯周部の診察および処置部の映像を介して診察および処置をすることができるカメラ付き歯周診察処置具である。」と記載されているのを、
「【０００１】
　本発明は、歯周の一般的な診察あるいは歯周疾患の進行を観察するとともに口腔内清掃および歯周治療時に歯の表面から歯石等の沈着物を除去したり歯周ポケット内の貼薬を行うのに用いる手用器具である歯周診察処置具に関するもので、特に当該歯周診察処置具による診察および処置を歯周部の診察および処置部の映像を介して診察および処置をすることができるカメラ付き
歯科用プローブ
シ　訂正事項１２
　明細書段落【００１０】に、
「【００１０】
　そこで本発明は、前記先願の発明における歯科用プローブの発明に加えて歯周診察にとどまらず適切な処置を遂行することのできる歯周診察処置具の提供を目的とするもので、特に歯周診察あるいは処置に当たり、歯周部の診察および処置部の映像を介して歯周診察あるいは処置することができるカメラ付き歯周診察処置具の提供を目的とするものである。」と記載されているのを、
「【００１０】
　そこで本発明は、前記先願の発明における歯科用プローブの発明に加えて歯周診察にとどまらず適切な処置を遂行することのできる歯周診察処置具の提供を目的とするもの
である。
ス　訂正事項１３
　明細書段落【００１１】に、
「【００１１】
　前記課題を解決する本発明の請求項１は、歯周診察処置具に備える診察または処置具による診察または処置を、超小型カメラによる歯周部の診察または処置部の映像を介して、診察または処置をすることができるように構成したカメラ付き歯周診察処理装置において、前記超小型カメラによる歯周部の診察または処置部の映像は、超小型カメラに備える表示部に表示される映像であることを特徴とする。」と記載されているのを、
「【００１１】
　前記課題を解決する本発明の請求項１は、
歯周部の深さの測定を行う探針部と、先端に前記探針部を有するグリップ部と、を備えた歯科用プローブによる
察を
察部
察を
歯科用プローブ
察部
有線又は無線を介して接続されている
とともに、前記探針部による歯周部の診察部にエアを噴射するエア噴射手段を設け、前記エア噴射手段は、先端部にエア噴射口を有するノズル部を設け　前記ノズル部は前記探針部の軸方向に添って配置され、前記エア噴射口は、前記探針部の外側及び先端よりやや上方に設けることにより、前記探索部に添ってエアが噴射するコアンダ効果を得ることができるように構成した
セ　訂正事項１４
　明細書段落【００１２】に、
「【００１２】
　請求項２は、歯周診察処置具に備える診察または処置具による診察または処置を、前記診察または処置具に添設した超小型カメラによる歯周部の診察または処置部の映像を介して、診察または処置をすることができるように構成したカメラ付き歯周診察処理装置において、前記超小型カメラによる歯周部の診察または処置部の映像は、超小型カメラに備える表示部に表示される映像であることを特徴とする。」と記載されているのを、
「【００１２】
　請求項２は、
歯周部の深さの測定を行う探針部と、先端に前記探針部を有するグリップ部と、を備えた歯科用プローブの前記探針部に
察部
察を
歯科用プローブ
察部
有線又は無線を介して接続されている
とともに　前記探針部による歯周部の診察部にエアを噴射するエア噴射手段を設け、前記エア噴射手段は、先端部にエア噴射口を有するノズル部を設け、前記ノズル部は前記探針部の軸方向に添って配置され、前記エア噴射口は前記探針部の外側及び先端よりやや上方に設けることにより、前記探針部に添ってエアが噴射するコアンダ効果を得ることができるように構成した
ソ　訂正事項１５
　明細書段落【００１３】に、
「【００１３】
　請求項３は、請求項１または２記載のカメラ付き歯周診察処置具において、前記超小型カメラに備える表示部に表示される映像は、等倍あるいは等倍乃至所要の拡大倍率による拡大映像であることを特徴とする。」と記載されているのを、
「【００１３】
　請求項３は、請求項１または２記載のカメラ付き
歯科用プローブ
有線又は無線を介して接続されている
タ　訂正事項１６
　明細書段落【００１５】に、
「【００１５】
　請求項４は、歯周診察処置具に備える診察または処置具に超小型カメラを添設するとともに当該診察または処置具による歯周部の診察または処置部にエアを噴出するエア噴出手段を添設することにより構成したカメラ付き歯周診察処置具において、前記超小型カメラの信号ケーブルは、少なくともその一部を前記エア噴射手段のエア供給管路の中空部分を介して配線することを特徴とする。」と記載されているのを、
「【００１５】
　請求項４は、
歯周部の深さの測定を行う探針部と、先端に前記探針部を有するグリップ部と　を備えた歯科用プローブの前記探針部に
前記探針部
察部
噴射
噴射
歯科用プローブ
して構成するとともに、前記エア噴射手段は先端部にエア噴射口を有するノズル部を設け、前記ノズル部は前記探針部の軸方向に添って配置され、前記エア噴射口は、前記探針部の外側及び先端よりやや上方に設けることにより、前記探針部に添ってエアが噴射するコアンダ効果を得ることができるように構成した
チ　訂正事項１７
　明細書段落【００１７】に、
「【００１７】
　請求項５は、歯周診察処置具に備える診察または処置具に超小型カメラを添設するとともに当該診察または処置具による歯周部の診察または処置部を照明する照光手段を添設し、さらに前記歯周部の診察または処置部にエアを噴射するエア噴射手段を添設することにより構成したカメラ付き歯周診察処置具において、前記小型カメラの信号ケーブルは、少なくともその一部を前記エア噴射手段のエア供給管路の中空部分を介して配線することを特徴とする。」と記載されているのを、
「【００１７】
　請求項５は、
歯周部の深さの測定を行う探針部と、先端に前記探針部を有するグリップ部と、を備えた歯科用プローブの前記探針部
前記探針部
察部
察部
歯科用プローブ
して構成するとともに、前記エア噴射手段は　先端部にエア噴射口を有するノズル部を設け、前記ノズル部は前記探針部の軸方向に添って配置され、前記エア噴射口は　前記探針部の外側及び先端よりやや上方に設けることにより、前記探針部に添ってエアが噴射するコアンダ効果を得ることができるように構成した
ツ　訂正事項１８
　明細書段落【００２３】に、
「【００２３】
　請求項６は、歯周診察処置具に備える診察具に超小型カメラを添設するとともに前記診察具による歯周部の診察部にエアを噴出するエア噴出手段を添設し、かつ前記診察具を光照射部材にて形成し、さらに当該診察具自体を発光するための照明手段を備えることにより前記歯周診察処置具の診察具による歯周部の診察を、前記エア噴出と前記診察具自体の発光による照射にて診察部位を直接照射しつつ前記超小型カメラによる映像を介して診察することができるように構成したカメラ付き歯周診察処置具において、前記小型カメラの信号ケーブルは、少なくともその一部を前記エア噴射手段のエア供給管路の中空部分を介して配線することを特徴とする。」と記載されているのを、
「【００２３】
　請求項６は、
歯周部の深さの測定を行う探針部と、先端に前記探針部を有するグリップ部と、を備えた歯科用プローブの前記探針部に
前記探針部
噴射
噴射
探針部
探針部
歯科用プローブの前記探針部
射
探針部
、
記小
歯科用プローブ
超
して構成するとともに　前記エア噴射手段は、先端部にエア噴射口を有するノズル部を設け、前記ノズル部は前記探針部の軸方向に添って配置され、前記エア噴射口は、前記探針部の外側及び先端よりやや上方に設けることにより、前記探針部に添ってエアが噴射するコアンダ効果を得ることができるように構成した
テ　訂正事項１９
　明細書段落【００２４】、【００２９】、【００３１】、【００５０】、【００５１】、【００５２】、【００６１】、【００６５】及び【００６８】にある「カメラ付き歯周診察処置具」を全て「カメラ付き
歯科用プローブ
」に訂正する。
ト　訂正事項２０
　明細書段落【００２５】に、
「【００２５】
　請求項８は、請求項６記載のカメラ付き歯周診察処置具において、前記歯周診察処置具に備える診察具は、歯科用探針または歯周ポケット探針の探針（作業部）であることを特徴とする。」と記載されているのを、
「【００２５】
　請求項８は、請求項６記載のカメラ付き
歯科用プローブ
歯科用プローブ
探針部
ナ　訂正事項２１
　明細書段落【００２６】に、
「【００２６】
　請求項９は、請求項６記載のカメラ付き歯周診察処置具において、前記超小型カメラによる歯周部の診察または処置部の映像上の視野の拡大率は等倍あるいは等倍乃至所要の拡大率まで拡大することができるように構成したことを特徴とする。」と記載されているのを、
「【００２６】
　請求項９は、請求項６記載のカメラ付き
歯科用プローブ
察部
ニ　訂正事項２２
　明細書段落【００７１】に、
「【００７１】
　図１７は、本発明のカメラ付き歯周診察処置具の実施例９を示すものである。
　そして、これまでの実施例１〜８については本発明カメラ付き歯周診察処置具につき歯周診察処置のプローブについて適用した実施例を説明したのであるが、これを歯科用スケーラ、すなわち口腔内清掃および歯周治療時に歯の表面から歯石等の沈着物を除去するために用いる歯科手用器具としての歯科用スケーラに適用した実施例について説明する。」と記載されているのを、
「【００７１】
　図１７
は、カ
　そして、これまでの実施例１〜８については本発明カメラ付き歯周診察処置具につき歯周診察処置のプローブについて適用した実施例を説明したのであるが、これを歯科用スケーラ、すなわち口腔内清掃および歯周治療時に歯の表面から歯石等の沈着物を除去するために用いる歯科手用器具としての歯科用スケーラに適用した実施例について説明する。」と訂正する。
ヌ　訂正事項２３
　明細書段落【００７６】に、
「【００７６】
　図１８は、本発明のカメラ付き歯周診察処置具の実施例１０を示すものである。
　前記実施例９においては、実施例１〜３のプローブ１に替えて歯科用スケーラ３０を適用した実施例を説明したのであるが、当該実施例１０は前記プローブ１に対する実施例５の超小型カメラ４としてのカメラユニット４０とエア噴射手段５０を添設した実施例（図８〜１２に図示の実施例）、実施例７の超小型カメラ４としてのカメラユニット４０と照明手段７０を添設した実施例（図１４に図示の実施例）、さらには実施例８の映像手段を適用した実施例を示すものである。」と記載されているのを、
「【００７６】
　図１８
は、カ
　前記実施例９においては、実施例１〜３のプローブ１に替えて歯科用スケーラ３０を適用した実施例を説明したのであるが、当該実施例１０は前記プローブ１に対する実施例５の超小型カメラ４としてのカメラユニット４０とエア噴射手段５０を添設した実施例（図８〜１２に図示の実施例）、実施例７の超小型カメラ４としてのカメラユニット４０と照明手段７０を添設した実施例（図１４に図示の実施例）、さらには実施例８の映像手段を適用した実施例を示すものである。」と訂正する。
ネ　訂正事項２４
　明細書段落【００８４】に、
「【００８４】
　図１９は、本発明のカメラ付き歯周診察処置具の実施例１１を示すものである。
　当該実施例１１は、前記プローブ１の実施例３（図６に図示）に対応する実施例で、特に超音波スケーラあるいはエアスケーラによる歯科用スケーラ３２に適用した場合を示すものである。」と記載されているのを、
「【００８４】
　図１９
は、カ
　当該実施例１１は、前記プローブ１の実施例３（図６に図示）に対応する実施例で、特に超音波スケーラあるいはエアスケーラによる歯科用スケーラ３２に適用した場合を示すものである。」と訂正する。
ノ　訂正事項２５
　明細書段落【００８６】に、
「【００８６】
　以上の実施例１〜１１は、本発明のカメラ付き歯周診察処置具としてプローブおよび歯科用スケーラに適用した場合について説明してきたのであるが、これ以外に歯科用貼薬針（歯周ポケット内の貼薬を行う器具）等に対する実施例も可能である。
　また、本発明のカメラ付き歯周診察処置具における歯周部の診察または処置部の映像を介する診察または処置に際する超小型カメラについては、その視野角内に、探針先端部、スケーラチップ先端部、若しくは貼薬針先端部を患部と一緒に撮影し、表示部に表示することが望ましいが、患部のみを表示できるようにカメラを配置しつつ添設したり、視野角を定めつつ実施することができる。」と記載されているのを、
「【００８６】
　以上の実施例１〜１１
は、カ
　また
、カ
（２）訂正の目的の適否、新規事項の有無及び特許請求の範囲の拡張・変更の存否
　上記訂正事項１ないし２５につき、訂正の目的の適否、新規事項の有無及び特許請求の範囲の拡張・変更の存否を検討する。
ア　訂正事項１及び訂正事項２について 
　訂正事項１及び訂正事項２は、いずれも、
（ｉ）訂正前の請求項１及び請求項２における「歯周診察処置具に備える診察または処置具による診察または処置」を「歯周部の深さの測定を行う探針部と、先端に前記探針部を有するグリップ部と、を備えた歯科用プローブによる診察」と、「診察または処置部」を「診察部」と限定し、また、
（ｉｉ）訂正前の請求項１及び請求項２における「カメラ付き歯周診察処置具」を、「カメラ付き歯科用プローブ」と限定し、
（ｉｉｉ）訂正前の請求項１及び請求項２における「超小型カメラに備える表示部」を、「超小型カメラに有線又は無線を介して接続されている表示部」と限定し、
（ｉｖ）訂正前の請求項１及び請求項２に「前記探針部による歯周部の診察部にエアを噴射するエア噴射手段を設け、前記エア噴射手段は、先端部にエア噴射口を有するノズル部を設け、前記ノズル部は前記探針部の軸方向に添って配置され、前記エア噴射口は、前記探針部の外側及び先端よりやや上方に設けることにより、前記探針部に添ってエアが噴射するコアンダ効果を得ることができるように構成した」との限定を附すのであるから、これらは特許法第１２０条の５第２項ただし書第１号に規定する特許請求の範囲の減縮を目的とするものに該当する。
　次に、訂正事項１及び訂正事項２は、いずれも、発明特定事項を上位概念から下位概念に変更するものであり、カテゴリーや対象、目的を変更するものではないから、実質上特許請求の範囲を拡張し、又は変更する訂正には該当しないことは明らかであり、特許法第１２０条の５第９項で準用する特許法第１２６条第６項に適合するものである。
　また、訂正事項１及び訂正事項２の内容は、いずれも、（ｉ）（ｉｉ）願書に添付した明細書（以下、「特許明細書」ということがある。）の段落【００３１】及び願書に添付した図面の図１，図５の記載、（ｉｉｉ）特許明細書の段落【００３９】，【００６９】及び図面の図１，図３の記載、並びに（ｉｖ）特許明細書の段落【０００８】，【００５２】〜【００６０】（特に段落【００５５】における「探針部３に沿ってエアを噴射するコアンダ効果」に関する記載を参照）における「実施例５」に関する記載などに裏付けられており、願書に添付した明細書、特許請求の範囲又は図面（以下、「特許明細書等」ということがある。）に記載した事項の範囲内の訂正といえ、特許法第１２０条の５第９項で準用する特許法第１２６条第５項に適合するものである。
イ　訂正事項３について
　訂正事項３は、（ｉ）訂正前の請求項３における「超小型カメラに備える表示部」の「表示部」つき、超小型カメラに「有線または無線を介して接続されている」との記載を追加して限定し、（ｉｉ）訂正前の請求項３における「カメラ付き歯周診察処置具」を、「カメラ付き歯科用プローブ」と限定するものであるから、これらは特許請求の範囲の減縮を目的とするものに該当する。
　次に、訂正事項３は、訂正事項１と同様、実質上特許請求の範囲を拡張し、又は変更する訂正には該当しないことは明らかである。
　また、訂正事項３の内容は、訂正事項１の（ｉｉｉ）と同様、特許明細書の段落【００３９】，【００６９】及び願書に添付した図面の図１，図３の記載などに裏付けられており特許明細書等に記載した事項の範囲内の訂正といえる。
ウ　訂正事項４
　訂正事項４は、
（ｉ）訂正前の請求項４における「歯周診察処置具に備える診察または処置具に超小型カメラを添設する」ことを「歯周部の深さの測定を行う探針部と、先端に前記探針部を有するグリップ部と、を備えた歯科用プローブの前記探針部に超小型カメラを添設する」と限定し、また、
（ｉｉ）訂正前の請求項４における「当該診察または処置具による歯周部の診察または処置部にエアを噴出するエア噴出手段」を「前記探針部による歯周部の診察部にエアを噴射するエア噴射手段」と限定し、
（ｉｉｉ）訂正前の請求項４における「カメラ付き歯周診察処置具」を、「カメラ付き歯科用プローブ」と限定し、
（ｉｖ）訂正前の請求項４に「前記エア噴射手段は　先端部にエア噴射口を有するノズル部を設け、前記ノズル部は前記探針部の軸方向に添って配置され、前記エア噴射口は、前記探針部の外側及び先端よりやや上方に設けることにより、前記探針部に添ってエアが噴射するコアンダ効果を得ることができるように構成した」との限定を附すのであるから、これらは特許請求の範囲の減縮を目的とするものに該当する。
　次に、訂正事項４は、訂正事項１と同様、実質上特許請求の範囲を拡張し、又は変更する訂正には該当しないことは明らかである。
　また、訂正事項４の内容は、いずれも、訂正事項１と同様、（ｉ）〜（ｉｉｉ）特許明細書の段落【００３１】及び図面の図５の記載、並びに（ｉｖ）特許明細書の段落【０００８】，【００５２】〜【００６０】における「実施例５」に関する記載などに裏付けられており、特許明細書等に記載した事項の範囲内の訂正といえる。
エ　訂正事項５
　訂正事項５は、
（ｉ）訂正前の請求項５における「歯周診察処置具に備える診察または処置具に超小型カメラを添設する」ことを「歯周部の深さの測定を行う探針部と、先端に前記探針部を有するグリップ部と、を備えた歯科用プローブの前記探針部に超小型カメラを添設する」と限定し、また、
（ｉｉ）訂正前の請求項５における「当該診察または処置具による歯周部の診察または処置部を照明する照明手段を添設」することを「前記探針部による歯周部の診察部を照明する照明手段を添設」すると限定し、
（ｉｉｉ）訂正前の請求項５における「前記歯周部の診察または処置部にエアを噴射するエア噴射手段」を「前記歯周部の診察部にエアを噴射するエア噴射手段」と限定し、
（ｉｖ）訂正前の請求項５における「カメラ付き歯周診察処置具」を、「カメラ付き歯科用プローブ」と限定し、
（ｖ）訂正前の請求項５に「前記エア噴射手段は　先端部にエア噴射口を有するノズル部を設け、前記ノズル部は前記探針部の軸方向に添って配置され、前記エア噴射口は、前記探針部の外側及び先端よりやや上方に設けることにより、前記探針部に添ってエアが噴射するコアンダ効果を得ることができるように構成した」との限定を附すのであるから、これらは特許請求の範囲の減縮を目的とするものに該当する。
　次に、訂正事項５は、訂正事項１と同様、実質上特許請求の範囲を拡張し、又は変更する訂正には該当しないことは明らかである。
　また、訂正事項５の内容は、いずれも、訂正事項４と同様、（ｉ）〜（ｉｖ）特許明細書の段落【００３１】及び図面の図５の記載、並びに（ｖ）特許明細書の段落【０００８】，【００５２】〜【００６０】における「実施例５」に関する記載などに裏付けられており、特許明細書等に記載した事項の範囲内の訂正といえる。
オ　訂正事項６
　訂正事項６は、
（ｉ）訂正前の請求項６における「歯周診察処置具に備える診察または処置具に超小型カメラを添設する」ことを「歯周部の深さの測定を行う探針部と、先端に前記探針部を有するグリップ部と、を備えた歯科用プローブの前記探針部に超小型カメラを添設する」と限定し、また、
（ｉｉ）訂正前の請求項６における「前記診察具による歯周部の診察部にエアを噴出するエア噴出手段」を「前記探針部による歯周部の診察部にエアを噴射するエア噴射手段」と限定し、
（ｉｉｉ）訂正前の請求項６における「前記診察具を光照射部材にて形成し、さらに当該診察具自体を発光するための照明手段を備えることにより前記歯周診察処置具の診察具による歯周部の診察を、前記エア噴出と前記診察具自体の発光による照射にて診察部位を直接照射し」を「前記探針部を光照射部材にて形成し、さらに当該探針部自体を発光するための照明手段を備えることにより前記歯科用プローブの前記探針部の歯周部の診察を、前記エア噴射と前記探針部自体の発光による照射にて診察部位を直接照射し」と限定し、
（ｉｖ）訂正前の請求項６における「カメラ付き歯周診察処置具」を、「カメラ付き歯科用プローブ」と限定し、
（ｖ）訂正前の請求項６に「前記エア噴射手段は　先端部にエア噴射口を有するノズル部を設け、前記ノズル部は前記探針部の軸方向に添って配置され、前記エア噴射口は、前記探針部の外側及び先端よりやや上方に設けることにより、前記探針部に添ってエアが噴射するコアンダ効果を得ることができるように構成した」との限定を附すのであるから、これらは特許請求の範囲の減縮を目的とするものに該当する。
　次に、訂正事項６は、訂正事項１と同様、実質上特許請求の範囲を拡張し、又は変更する訂正には該当しないことは明らかである。
　また、訂正事項６の内容は、いずれも、（ｉ）（ｉｉ）（ｉｖ）特許明細書の段落【００３１】及び図面の図５の記載、（ｉｉｉ）特許明細書の段落【００６１】及び図１３の記載、並びに（ｖ）特許明細書の段落【０００８】，【００５２】〜【００６０】における「実施例５」に関する記載などに裏付けられており、特許明細書等に記載した事項の範囲内の訂正といえる。
カ　訂正事項７〜９
　訂正事項７〜９は、従属形式請求項である訂正前の請求項７〜９における、
（ｉ）「カメラ付き歯周診察処置具」を、「カメラ付き歯科用プローブ」と限定し、
（ｉｉ）「診察具」を「探針部」と限定し、
（ｉｉｉ）「診察または処置部」を「診察部」と限定することのいずれかを含むものであり、これらは特許請求の範囲の減縮を目的とするものに該当する。
　次に、訂正事項７〜９は、訂正事項１と同様、実質上特許請求の範囲を拡張し、又は変更する訂正には該当しないことは明らかである。
　また、訂正事項７〜９の内容は、訂正事項１と同様、特許明細書等に記載した事項の範囲内の訂正といえる。
キ　訂正事項１０〜２５
　訂正事項１０〜２５は、いずれも、特許請求の範囲の記載を訂正したことに伴い、特許請求の範囲の記載に対応する明細書の記載の整合を図ろうとするものであるから、明瞭でない記載の釈明を目的とするものに該当する。 
　また、訂正事項１０〜２５、いずれも、実質上特許請求の範囲を拡張し、又は変更する訂正には該当せず、また、特許明細書等に記載した事項の範囲内の訂正であることも明らかである。
（３）小括 
　したがって、本件訂正は、特許法第１２０条の５第２項ただし書第１号又は３号に掲げる事項を目的とするものであり、かつ、同条第９項において準用する同法第１２６条第５項及び第６項の規定に適合するので、本件訂正を認める。
第３　取消理由の概要
　本件訂正前の平成３０年９月３日付けの訂正請求によって訂正された請求項１〜９（以下「本件前訂正発明１」などということがある。）に係る特許に対して、当審が平成３１年１月１８日付け取消理由通知書（決定の予告）において特許権者に通知した取消理由の要旨は、次のとおりである。
（１）本件前訂正発明１は、下記引用文献５に記載された発明に、引用文献１及び引用文献８に記載された技術事項並びに従来周知の技術事項に基づいて、当業者が容易に発明をすることができたものであるから、請求項１に係る特許は特許法第２９条第２項の規定に違反してされたものである。
（２）本件前訂正発明２は、下記引用文献５に記載された発明に、引用文献１及び引用文献８に記載された技術事項並びに従来周知の技術事項に基づいて、当業者が容易に発明をすることができたものであるから、請求項２に係る特許は特許法第２９条第２項の規定に違反してされたものである。
（３）本件前訂正発明３は、下記引用文献５に記載された発明に、引用文献１、引用文献８及び引用文献７に記載された技術事項並びに従来周知の技術事項に基づいて、当業者が容易に発明をすることができたものであるから、請求項３に係る特許は特許法第２９条第２項の規定に違反してされたものである。
（４）本件前訂正発明４は、下記引用文献５に記載された発明に、引用文献１及び引用文献８に記載された技術事項並びに従来周知の技術事項に基づいて、当業者が容易に発明をすることができたものであるから、請求項４に係る特許は特許法第２９条第２項の規定に違反してされたものである。
（５）本件前訂正発明５は、下記引用文献５に記載された発明に、引用文献１、引用文献８及び引用文献９に記載された技術事項並びに従来周知の技術事項に基づいて、当業者が容易に発明をすることができたものであるから、請求項５に係る特許は特許法第２９条第２項の規定に違反してされたものである。
（６）本件前訂正発明６は、下記引用文献５に記載された発明に、引用文献１、引用文献８及び引用文献９に記載された技術事項並びに従来周知の技術事項に基づいて、当業者が容易に発明をすることができたものであるから、請求項６に係る特許は特許法第２９条第２項の規定に違反してされたものである。
（７）本件前訂正発明７及び８は、下記引用文献５に記載された発明に、引用文献１、引用文献８及び引用文献９に記載された技術事項並びに従来周知の技術事項に基づいて、当業者が容易に発明をすることができたものであるから、請求項７及び８に係る特許は特許法第２９条第２項の規定に違反してされたものである。
（８）本件前訂正発明９は、下記引用文献５に記載された発明に、引用文献１、引用文献８、引用文献９及び引用文献７に記載された技術事項並びに従来周知の技術事項に基づいて、当業者が容易に発明をすることができたものであるから、請求項９に係る特許は特許法第２９条第２項の規定に違反してされたものである。
　よって、請求項１ないし９に係る特許は、取り消されるべきものである。
　　　　　　　　　　　　　　　　　記
引用文献１：特開２０１０−１０４６５２号公報（申立書の甲１） 
引用文献２：特開２００９−２６８６１４号公報（申立書の甲２） 
引用文献３：特開２０１１−１３５９７３号公報（申立書の甲３） 
引用文献４：実願平４−９０４００号（実開平６−４６７１２号）の
　　　　　　ＣＤ−ＲＯＭ（申立書の甲４） 
引用文献５：特表平７−５０２４４１号公報（申立書の甲５） 
引用文献６：特開平１１−３０５６８０号公報（申立書の甲６）
引用文献７：特開２００９−１８３３２３号公報（申立書の甲７） 
引用文献８：実願昭６２−７３１１６号（実開昭６３−１８２７０６号）
　　　　　　の願書に添付した明細書及び図面の内容を撮影した
　　　　　　マイクロフィルム（申立書の甲８） 
引用文献９：特開２００３−３３３７２号公報（申立書の甲９） 
引用文献１０：特開２０１０−１３４３８２号公報（申立書の甲１０）
引用文献１１：特開２００１−３２１３９１号公報（申立人の平成３０年
　　　　　　　１１月１２日提出の意見書に添付された甲１１）
引用文献１２：特開平２−２２８９５７号公報（申立人の平成３０年
　　　　　　　１１月１２日提出の意見書に添付された甲１２）
第４　当審の判断
１　訂正後の請求項１〜９に係る発明
　上記第２のとおり本件訂正は認容されるので、本件訂正後の本件特許の請求項１〜９に係る発明（以下「本件訂正発明１」などということがある。また、これらをまとめて単に「本件訂正発明」ということがある。）は、特許明細書及び図面の記載からみて、平成３１年３月２５日付け訂正請求書に添付された訂正特許請求の範囲に記載された次のとおりのものと認める。
「【請求項１】
　歯周部の深さの測定を行う探針部と、先端に前記探針部を有するグリップ部と、を備えた歯科用プローブによる診察を、超小型カメラによる歯周部の診察部の映像を介して、診察をすることができるように構成したカメラ付き歯科用プローブにおいて、
　前記超小型カメラによる歯周部の診察部の映像は、超小型カメラに有線又は無線を介して接続されている表示部に表示される映像であるとともに、
　前記探針部による歯周部の診察部にエアを噴射するエア噴射手段を設け、
　前記エア噴射手段は、先端部にエア噴射口を有するノズル部を設け、
　前記ノズル部は前記探針部の軸方向に添って配置され、
　前記エア噴射口は、前記探針部の外側及び先端よりやや上方に設けることにより、前記探針部に添ってエアが噴射するコアンダ効果を得ることができるように構成したことを特徴とするカメラ付き歯科用プローブ。
【請求項２】
　歯周部の深さの測定を行う探針部と、先端に前記探針部を有するグリップ部と、を備えた歯科用プローブの前記探針部に添設した超小型カメラによる歯周部の診察部の映像を介して、診察をすることができるように構成したカメラ付き歯科用プローブにおいて、
　前記超小型カメラによる歯周部の診察部の映像は、超小型カメラに有線又は無線を介して接続されている表示部に表示される映像であるとともに、
　前記探針部による歯周部の診察部にエアを噴射するエア噴射手段を設け、
　前記エア噴射手段は、先端部にエア噴射口を有するノズル部を設け、
　前記ノズル部は前記探針部の軸方向に添って配置され、
　前記エア噴射口は、前記探針部の外側及び先端よりやや上方に設けることにより、前記探針部に添ってエアが噴射するコアンダ効果を得ることができるように構成したことを特徴とするカメラ付き歯科用プローブ。
【請求項３】
　前記超小型カメラに有線又は無線を介して接続されている表示部に表示される映像は、等倍あるいは等倍乃至所要の拡大倍率による拡大映像であることを特徴とする請求項１または２記載のカメラ付き歯科用プローブ。
【請求項４】
　歯周部の深さの測定を行う探針部と、先端に前記探針部を有するグリップ部と、を備えた歯科用プローブの前記探針部に超小型カメラを添設するとともに前記探針部による歯周部の診察部にエアを噴射するエア噴射手段を添設することにより構成したカメラ付き歯科用プローブにおいて、
　前記超小型カメラの信号ケーブルは、少なくともその一部を前記エア噴射手段のエア供給管路の中空部分を介して配線して構成するとともに、
　前記エア噴射手段は　先端部にエア噴射口を有するノズル部を設け、
　前記ノズル部は前記探針部の軸方向に添って配置され、
　前記エア噴射口は、前記探針部の外側及び先端よりやや上方に設けることにより、前記探針部に添ってエアが噴射するコアンダ効果を得ることができるように構成したことを特徴とするカメラ付き歯科用プローブ。
【請求項５】
　歯周部の深さの測定を行う探針部と、先端に前記探針部を有するグリップ部と、を備えた歯科用プローブの前記探針部に超小型カメラを添設するとともに前記探針部による歯周部の診察部を照明する照明手段を添設し、さらに前記歯周部の診察部にエアを噴射するエア噴射手段を添設することにより構成したカメラ付き歯科用プローブにおいて、
　前記超小型カメラの信号ケーブルは、少なくともその一部を前記エア噴射手段のエア供給管路の中空部分を介して配線して構成するとともに、
　前記エア噴射手段は、先端部にエア噴射口を有するノズル部を設け、
　前記ノズル部は前記探針部の軸方向に添って配置され、
　前記エア噴射口は、前記探針部の外側及び先端よりやや上方に設けることにより、前記探針部に添ってエアが噴射するコアンダ効果を得ることができるように構成したことを特徴とするカメラ付き歯科用プローブ。
【請求項６】
　歯周部の深さの測定を行う探針部と、先端に前記探針部を有するグリップ部と、を備えた歯科用プローブの前記探針部に超小型カメラを添設するとともに前記探針部による歯周部の診察部にエアを噴射するエア噴射手段を添設し、かつ前記探針部を光照射部材にて形成し、さらに当該探針部自体を発光するための照明手段を備えることにより前記歯科用プローブの前記探針部の歯周部の診察を、　　　　　　　　　　　　　　　　　　　　　　　　　　　前記エア噴射と前記探針部自体の発光による照射にて診察部位を直接照射しつつ、前記小型カメラによる映像を介して診察することができるように構成したカメラ付き歯科用プローブにおいて、　　　　　　　　　　　　　
　前記超小型カメラの信号ケーブルは、少なくともその一部を前記エア噴射手段のエア供給管路の中空部分を介して配線して構成するとともに、
　前記エア噴射手段は、先端部にエア噴射口を有するノズル部を設け、
　前記ノズル部は前記探針部の軸方向に添って配置され、
　前記エア噴射口は、前記探針部の外側及び先端よりやや上方に設けることにより、前記探針部に添ってエアが噴射するコアンダ効果を得ることができるように構成したことを特徴とするカメラ付き歯科用プローブ。
【請求項７】
　前記超小型カメラは、カメラユニットまたはカラーカメラモジュールを使用することにより構成したことを特徴とする請求項６記載のカメラ付き歯科用プローブ。
【請求項８】
　前記歯科用プローブに備える探針部は、歯科用探針または歯周ポケット探針の探針（作業部）であることを特徴とする請求項６記載のカメラ付き歯科用プローブ。
【請求項９】
　前記超小型カメラによる歯周部の診察部の映像上の視野の拡大率は等倍あるいは等倍乃至所要の拡大率まで拡大することができるように構成したことを特徴とする請求項６記載のカメラ付き歯科用プローブ。」
２　引用文献の記載
（１）引用文献１
ア　引用文献１に記載された事項
　上記平成３１年１月１８日付け取消理由通知（決定の予告）において引用した上記引用文献１には、図面とともに以下の事項が記載されている。
（ア）特許請求の範囲
「【請求項１】
　歯科治療具に取付けられる歯科用撮像装置であって、
　少なくとも撮像素子と光学部材とを有する撮像モジュールと、
　歯科治療具に取付可能な取付部を有し、前記撮像モジュールを、位置及び姿勢のうち少なくとも一方を変更自在に支持する支持部と、
　を備える
歯科用撮像装置
（イ）「【００４６】
 　このような歯５００に対する
治療
歯周ポケット
根管拡大
作業
（ウ）「【００５１】
　撮像モジュール３２は、撮像素子とレンズ等の光学部材とを一体化してモジュール化された構成とされている。そして、当該撮像モジュール３２が指向する所定の撮像範囲において、治療対象箇所等を撮像して画像信号を出力可能に構成されている。撮像モジュール３２は、撮像素子に対する駆動ライン及び画像信号出力ラインを含むケーブル６１を介して撮像制御ユニット６０に接続されている。本撮像制御ユニット６０は、撮像素子の駆動を制御すると共に、当該撮像素子から入力される画像信号に対して所定の画像処理を施して
表示部
出力
撮像制御ユニット６０を小型化し、撮像モジュール３２に組込むことも可能である
（エ）「【００６６】
  ｛第２実施形態｝
　図４は第２実施形態に係る歯科用撮像装置１３０を示す側面図である。本実施形態では、歯科治療具として、治療内容に応じて治療工具全体が交換されるタイプである、根管治療用手用工具（より具体的には、手用ファイル或は手用リーマ）を想定した例で説明する。
【００６７】
　根管治療用手用工具１１０は、
刃部１１２
【００６８】
　歯科用撮像装置１３０は、撮像モジュール１３２と、支持部１５０とを有している。
【００６９】
　図５は
撮像モジュール１３２
ＣＣＤ等の撮像素子１３３と光学部材としてのレンズ部１３５とを含んで構成されており、上記根管治療用手用工具１１０等に取付けた状態でも、当該根管治療用手用工具１１０等による治療を妨げない程度に十分に小型に構成されている
（オ）「【００７６】
　この撮像モジュール１３２の撮像素子１３３からの駆動ライン及び画像信号出力ラインを含むケーブル１６１は外部に引出され、図２と同様に、撮像制御ユニット１６０に接続されている。」
（カ）「【００７８】
　取付部１５２は、ゴム或は弾性樹脂等の弾性部材によって形成されており、上記根管治療用手用工具１１０のシャンク部１１４を圧入可能な圧入孔が形成されている。・・・取付部１５２が根管治療用手用工具１１０のシャンク部１１４に取付けられる。換言すれば、取付部１５２は、シャンク部１１４に対して弾性的に外嵌めされる構成といえる。」
（キ）「【０１４３】
・・・治療に適切な画像、特に、撮像モジュール１３２を刃部２１４（又は２１６）の近傍に位置づけることで、歯表面或は歯周ポケット内の歯石や歯垢等を含む治療箇所を適切に撮像できる。これにより、術者は、当該画像を見て刃部２１４と歯表面の歯石や歯垢等との位置関係を確認しながら、歯石や歯垢の除去作業等の治療を行うことができ、適切な治療に資する。」
（ク）「【０１４５】
　図１６は本実施形態に係る変形例を示す側面図である。本変形例では、
歯科治療具
ハンドスケーラ２１０
歯科用撮像装置２３０Ｂ
【０１４６】
　この歯科用撮像装置２３０は、頸部２１２に外嵌めされた状態で、ハンドスケーラ２１０に取付けられている。撮像モジュール１３２の撮像方向が、刃部２１４の先端部を向くように、当該撮像モジュール１３２の位置及び姿勢が調整されている。」
イ　引用文献１事項
（ケ）上記記載事項（ク）における「歯科用撮像装置２３０Ｂ」は「第２実施形態」の「歯科用撮像装置１３０」（上記記載事項エ）を前提としているところ、これは「ＣＣＤ等の撮像素子１３３と光学部材としてのレンズ部１３５とを含んで構成されており、上記根管治療用手用工具１１０等に取付けた状態でも、当該根管治療用手用工具１１０等による治療を妨げない程度に十分に小型に構成されている」ことから、“歯科用撮像用超小型カメラ２３０Ｂ”ということができる。
（コ）図１６の図示内容から、上記歯科用撮像用超小型カメラ２３０Ｂは、歯科治療用ハンドスケーラ２１０先端の刃部に添接されていることが看取できる。
　上記記載事項ア（ア）ないし（ク）及び認定事項（ケ）及び（コ）を、図面を参照しつつ、特に「第２実施形態」を前提とする図１６に示される変形例に着目して整理すると、引用文献１には以下の技術事項が記載されていると認める（以下「引用文献１事項」という。）。
「歯周ポケットの治療を、刃部に添設した歯科用撮像用超小型カメラ２３０Ｂによる根管拡大作業中等における撮像画像を介して、治療をすることができるように構成した歯科用撮像用超小型カメラ２３０Ｂ付き歯科治療用ハンドスケーラ２１０において、歯科用撮像用超小型カメラ２３０Ｂによる画像は、表示部に出力される画像である歯科用撮像用超小型カメラ２３０Ｂ付き歯科治療用ハンドスケーラ２１０。」
（２）引用文献２
　同じく上記取消理由通知（決定の予告）において例示した上記引用文献２には、図面とともに以下の事項が記載されている。
（ア）「【００２３】
ここで、本発明の歯周ポケット深度測定システムの全体構成について、図１を用いて説明する。
測定器１０１
プローブ１０２
（イ）「【００２５】
前述のとおり、本発明の
歯周ポケット深度測定器
歯周ポケット深度を測定するためのプローブ
（ウ）「【００３２】
　以下、本発明の歯周検査システムを実施するための具体的な形態について、図を用いて説明する。
　本発明の歯周検査システムは前述のとおり、プローブから検査部位に加えられる挿入力が一定値を超えないような安全機構を備えつつ、騒音の多い歯科医院でも十分に通知が実行できる手段を実現できるようにした。図２はその外観の一例であるが、歯周ポケット測定器の
筺体２０１
　上記各記載事項（ア）ないし（ウ）を、図面を参照しつつ整理すると、引用文献２には以下の技術事項が記載されていると認める（以下「引用文献２事項」という。）。
「歯周ポケット深度測定器１０１において、歯周ポケット深度を測定するためのプローブ１０２と、先端に前記プローブ１０２を有するグリップ部としても機能する筺体２０１とを備えること。」
（３）引用文献３
　同じく上記取消理由通知（決定の予告）において例示した上記引用文献３には、図面とともに以下の事項が記載されている。
（ア）特許請求の範囲
「【請求項１】
　診療対象の狭隘な箇所に挿入可能な細長部材と、
　前記細長部材の先端部に取付けられた光源と、
　前記光源に接続され且つ前記細長部材にその後端部に及ぶよう添装された光源用導線とよりなることを特徴とする光照射用チップ。」
（イ）「【００１６】
　前記細長部材が、その長手方向に沿った少なくとも１箇所で湾曲する非直線状の形状とされている場合、特に歯科診療においては、歯牙の根管や歯周ポケット等に挿入し易く、また、細長であることとも相俟って視野の妨げともならない。ここでいう湾曲とは、前述のとおり、細長部材がその全体に亘って湾曲している場合はもとより、局部的に屈曲しているような、線分と線分、及びその間の角度の組み合わせにより湾曲している形状を含む。これは、根管用のプラッガーやスプレッダー、或いはポケット探針のような、要所に直線形状を含むように本願発明の細長部材を形成すること含む。全体に亘って湾曲させることは、例えばレーザ照射チップであれば、光ファイバを内蔵しているため、やむをえなかった。ところが本願発明によれば、細径部材の先端まで光ファイバを設ける必要がないため、その形状に自由度があり、全体に亘る湾曲形状はもちろん、要所に直線形状を含むような屈曲形状にも構成し得る。」
（ウ）「【００２４】
　以下、本発明の光照射用チップ、光照射用ヘッド及びこれらをアセンブリして構成される光照射器の実施の形態について図面に基づき説明する。図１は、本発明の一実施形態としての光照射器の全体構成を示す斜視図である。図１に示す光照射器１は、主に歯牙の根管や歯周ポケット内を照射し得るコードレスのハンドピースタイプに構成されたものである。本
光照射器１
手に持つ部分であるグリップ形状の光照射器本体２と
先側部
光照射用ヘッド３
（エ）「【００２７】
　前記光照射用チップ５は、断面円形の金属製細管からなる細長部材７と、該細長部材７の先端部に取付けられたＬＥＤからなる光源６と、該光源６に接続され且つ前記細長部材７内に挿通された状態で細長部材７の後端部に及ぶよう添装された光源用導線６１とよりなる。前記光照射用チップ５は、前記細長部材７をして、前記ヘッド基部４の先側部分４１に対し、前記先側部分４１の中央部に前記軸線Ｌ１に同心に形成された貫通孔４１ａに挿入固着一体とされている。これによって、前記細長部材７の軸線Ｌ２が光照射用ヘッド３の前記軸線Ｌ１に整合する状態とされる。細長部材７の先側部分４１に対する挿入固着一体状態では、その挿入端（後端部）が前記ヘッド基部本体部４０内に及び、前記光源用導線６１はこの細長部材７の後端部から導出されて前記光源駆動回路４３に電気的に結線されている。光源６は、前記のように、０．９×０．９ｍｍ角程度の微小な角型ＬＥＤからなり・・・」
（オ）「【００２９】
　前記のような構成の光照射器１を
歯科の照射診療に使用する
（カ）「【００３２】
　図６に示すような照射診療においては、ＬＥＤ６からの光が目的診療部位に対して至近位置で直接照射される。本図の例はあくまで一例であって、根管中部まで重合剤が充填され、その近傍位置で光が照射される使用例もあるが、ここでは特に、本願発明の特徴を明確にするため、便宜上根尖付近でＬＥＤ６からの光を根尖位置まで照射する図を示している。この場合、ムラのない照射が可能とされて、光重合樹脂の重合不足や殺菌不足が生じず極めて精度の高い光照射診療が可能となると共に、光量の減衰が殆どなく、低出力のＬＥＤ６であっても、効率的な光照射が可能となる。・・・また、図６に示す歯周ポケットＴ３に光照射用チップ５をその先端部より挿入して、歯周ポケットＴ３内の照射診療に使用することも可能である。」
（キ）「【００３３】
　励起光の照射による蛍光診断の場合、
歯牙Ｔの根管Ｔ１
光照射用ヘッド３
光照射用ヘッド３内に導光体（不図示）を配設して、受光部で受光した蛍光像を導光体で導光させて光照射器本体２内に設置される撮像手段に結像させて、前記と同様に外部のモニタディスプレイ等に送信させる
　上記各記載事項を、特に上記記載事項（キ）の実施形態に着目して、図面を参照しつつ整理すると、引用文献３には以下の技術事項が記載されていると認める（以下「引用文献３事項」という。）。
「歯科の照射診療に使用する光照射器１において、歯牙Ｔの根管Ｔ１の撮像を行う光照射用ヘッド３と、先側部に前記光照射用ヘッド３を有するグリップ形状の光照射器本体２とを備えること」。
（４）引用文献５
ア　引用文献５に記載された事項
　同じく上記取消理由通知（決定の予告）において引用した上記引用文献５には、図面とともに以下の事項が記載されている。
（ア）請求の範囲
「１．
内視鏡的視覚化のもとに歯肉縁下歯面
（ａ）基端と先端と第１の断面領域とを備えた細長の柄と、
（ｂ）細長の柄の先端から延び、柄の断面より狭い断面を有する軸と、
（ｃ）軸から延びて、手術により歯肉を切除することなく、自由歯肉と歯肉縁下歯面との間に挿入可能であるような寸法及び形状に形成され、歯肉縁下歯面から歯垢と歯石の沈着物を除去するのに有用であるような寸法及び形状に形成された動作部と、
（ｄ）器具内の少なくとも一部分を長手方向に延び、光源に接続可能な基端を有し、器具の動作部に隣接して配置された少なくとも１つの照明出口に向かって基端から先端方向へ延びている光伝送手段と、
（ｅ）器具内の少なくとも一部分を長手方向に延び、外部画像観察装置に接続可能な基端を有し、少なくとも１つの光画像受像口に向かって基端から先端方向へ延びている光画像伝送手段とを有する
歯科用器具
（イ）公報第６ページ右下欄下段
「本発明のいかなる内視鏡器具又は歯肉縁下内視鏡消息子も１つ又は複数の
流体注入通路
流体
空気
（ウ）公報第７ページ右下欄上段付近
「歯肉縁下歯垢又は歯石Ｃの除去を容易にすべく、本発明は周囲の歯肉Ｇの切除手術を必要とせずに歯肉縁下歯面を視覚化する方法及び装置を提供する。本発明の装置は光フアイバ画像伝送手段のような内視鏡観察装置を有し、歯肉溝又は歯周ポケットに直接挿入が可能であり、
歯肉縁下歯面の画像
（エ）公報第７ページ右下欄下段付近
「図２及び２ａに示すように、
本発明の一実施例は歯肉繰下のスケーリング及び根面平滑化治療を実施するための手器具
手器具１０
は柄１２、軸１４及び動作部即ち
ブレード１６
第２光ファイバ束２０は画像伝送ファイバ
　　
（オ）公報第８ページ左上欄上段付近
「第１光ファイバ束１８及び第２光ファイバ束２０の双方とも先端の照明／画像受像装置、即ち光学ヘッド２４に装着され、かつその範囲内で終結している。そのような
光学ヘッド２４
ブレード１６に隣接して配置
レンズ
（カ）公報第８ページ右上欄中段付近
「第２（画像伝送）
光ファイバ束２０の基端はビデオモニタ
接続
（キ）公報第８ページ右上欄中段付近
「画像装置３０は
第２画像伝送光ファイバ束２０を介して発信される画像情報
ビデオモニタ３２に表示
（ク）公報第８ページ左下上欄上段付近〜中段付近
「任意の注入流体管腔４０が器具１０の柄１２及び軸１４中を長手方向に延びていてもよい。そのような任意の注入流体管腔４０は管４２を介し基端において加圧注入流体源、即ちポンプ４４に接続されている。そのような注入流体管腔４０は
器具１０の軸１４の先端部及び／又はブレード部１６に形成された
流出口４６
外部へと水又は他の流体を流動させる
歯周ポケット
（ケ）公報第８ページ右下欄中段付近
「図３ａに示す光学、ヘッド２４ａは更に、任意の吸引又は吸入口４０ａばかりではなく、任意の注入流体出口４６ａも組み込んでいる。任意の注入流体出口４６ａ及び／或いは吸入又は吸引口４０ａは必ずしも光学ヘッド２４内に配置される必要はなく、器具１０の別の位置に配置されてもよい。実際は、任意の流体出口４６ａ及び／又は任意の吸入口５８ａは光学ヘッド２４ａに対して配置され、継続的又は断続的に光学的領域から血液及び／又は沈着物を取り除く能力を最大化又は最適化させ、器具１０が治療される歯面を内視鏡で見るように視覚化する能力を最大化させている。」
（コ）公報第８ページ右下欄下段〜第９ページ左上欄上段
「図３ｂに更に別の光学ヘッド２４の形状を示す。
図３ｂに示すように
間隔即ち管腔１１０が第１及び第２光フアイバ東を取り囲み、刺激剤、抗菌剤、麻酔剤又は他の流体の注入及び／或いは血液又は沈着物の吸入のための通路を提供している
イ　引用文献５発明Ａ
（サ）上記記載事項（エ）の「手器具１０は・・・軸１４及び動作部即ちブレード１６を有する」との記載、上記記載事項（オ）の「光学ヘッド２４は器具の軸１４に、動作部即ちブレード１６に隣接して配置できる」との記載を踏まえ、上記記載事項（ア）における「歯科用器具」は、“光学ヘッド付き歯科用手器具１０”ということができる。
（シ）さらに、上記記載事項（ウ）に「歯肉縁下歯垢又は歯石Ｃの除去・・・歯肉縁下歯面を視覚化する方法及び装置を提供する」とあり、また、上記記載事項（エ）に「本発明の一実施例は歯肉繰下のスケーリング及び根面平滑化治療を実施するための手器具である。そのような手器具１０は柄１２、軸１４及び動作部即ちブレード１６を有する。」とあることから、引用文献５記載の“光学ヘッド付き歯科用手器具１０”は、“診察及び治療をする光学ヘッド付き歯科用手器具１０”、ということができる。 
  
　上記記載事項ア（ア）ないし（ケ）並びに上記認定事項（サ）及び（シ）を、図面を参照しつつ技術常識を踏まえて本件訂正発明１に倣って整理すると、引用文献５には以下の発明が記載されていると認める（以下「引用文献５発明Ａ」という。）。
「診察及び治療を、光学ヘッド２４による歯肉縁下歯面部位の画像を介して、診察及び治療をすることができるように構成した光学ヘッド付き歯科用手器具１０において、
　前記光学ヘッド２４による歯肉縁下歯面部位の画像は、光学ヘッド２４に第２光ファイバ束２０を介して発信されるビデオモニタ３２に表示される画像であるとともに、
　診察及び治療対象である歯周ポケットにエアを噴射する流体注入通路を設け、
　前記流体注入通路は、手器具１０の軸１４の先端部及び／又はブレード部１６に形成された外部へとエアを流動させる流出口４６を設けた光学ヘッド付き歯科用手器具１０。」
ウ　引用文献５発明Ｂ
（ス）上記記載事項（コ）に「図３ｂに示すように・・・間隔即ち管腔１１０が第１及び第２光フアイバ束を取り囲み、刺激剤、抗菌剤、麻酔剤又は他の流体の注入及び／或いは血液又は沈着物の吸入のための通路を提供している。」あるところ、これを図２の図示内容に照らして合理的に解すれば、引用文献５記載の「第２光ファイバ束２０」は、“少なくともその一部を流体注入通路の管腔１１０に取り囲まれ挿入されている”ものと認められる。 
　上記記載事項ア（ア）ないし（コ）及び認定事項（サ）ないし（ス）を、図面を参照しつつ技術常識を踏まえて本件訂正発明４に倣って整理すると、引用文献５には以下の発明も記載されていると認める（以下「引用文献５発明Ｂ」という。）。
「手器具１０に光学ヘッド２４をその動作部即ちブレード１６に隣接して配置するとともに歯周ポケットにエアを噴射する流体注入通路を設けることにより構成した光学ヘッド２４付き手器具１０において、
　前記光学ヘッド２４の映像を介する第２光ファイバ束２０は、少なくともその一部を流体注入通路の管腔１１０に取り囲まれ挿入されているとともに、
　前記流体注入通路は、手器具１０の軸１４の先端部及び／又はブレード部１６に形成された外部へとエアを流動させる流出口４６を設けた光学ヘッド付き歯科用手器具１０。」
（６）引用文献７
　同じく上記取消理由通知（決定の予告）において引用した上記引用文献７には、その段落【００９５】の記載などから、次の技術的事項が記載されていると認められる（以下「引用文献７事項」という）。 
「歯周検査装置において、検査対象部位Ｒにおける撮影結果を、拡大表示する機能を有すること。」
（７）引用文献８
　同じく上記取消理由通知（決定の予告）において引用した上記引用文献８には、その第８図とそれに関連する明細書の記載などから、次の技術的事項が記載されていると認められる（以下「引用文献８事項」という）。
「歯周ポケット等の根管内観察装置において、プローブ４による歯周部の処置部にエアを噴出するノズルチューブ４４をプローブ４の側部に沿って付設すること。」
（８）引用文献９
　同じく上記取消理由通知（決定の予告）において引用した上記引用文献９には、その段落【００１５】の記載などから、次の技術的事項が記載されていると認められる（以下「引用文献９事項」という）。
「歯牙の診察や処置を行うスケーラにおいて、診察具自体を発光させて照射することにより、術者の作業を容易にすること。」
（９）引用文献１０
　同じく上記取消理由通知（決定の予告）において引用した上記引用文献１０には、その段落【００２３】，【００５４】の記載などから、次の技術的事項が記載されていると認められる（以下「引用文献１０事項」という）。
「歯牙や歯肉を含む口腔内の観察を行う観察装置において、カラーＣＣＤカメラ１０を設けること。」
（１０）引用文献１１
　上記取消理由通知（決定の予告）において例示した上記引用文献１１には、その段落【０００６】の記載などから、次の技術的事項が記載されていると認められる（以下「引用文献１１事項」という）。
「歯科用ハンドピースにおいて、噴射流体をコアンダ効果により配向させること。」
（１１）引用文献１２
　上記取消理由通知（決定の予告）において例示した上記引用文献１２には、その第３ページ左下欄中段付近の記載などから、次の技術的事項が記載されていると認められる（以下「引用文献１２事項」という）。
「歯科処置用のハンドピースにおいて、噴流をコアンダ効果により配向させること。」
３　取消理由についての判断
（１）本件訂正発明１
ア　対比
　本件訂正発明１と引用文献５発明Ａとを対比すると以下のとおりである。  
　引用文献５発明Ａの「画像」は、本件訂正発明１の「映像」に相当することは明らかである。以下同様にそれぞれの機能及び技術常識を踏まえれば、引用文献５発明Ａの「第２光ファイバ束２０を介して発信される」は本件訂正発明１の「有線」「を介して接続されている」に、「ビデオモニタ３２」は「表示部」に、「流体注入通路」は「エア噴射手段」に、「外部へとエアを流動させる流出口４６」は「エア噴射口」に各々相当する。
　また、引用文献５発明Ａの「歯肉縁下歯面部位」及び「歯周ポケット」は、いずれも本件訂正発明１の「歯周部」に相当する。
　次に、引用文献５発明Ａの「診察及び治療」と本件訂正発明１の「診察」とは、“診察と治療の少なくとも一方”である限りにおいて共通する。
　また、引用文献５発明Ａの「光学ヘッド２４」と本件訂正発明１の「超小型カメラ」とは、“撮像器”である限りにおいて共通する。
　また、引用文献５発明Ａの「光学ヘッド付き歯科用手器具１０」と本件訂正発明１の「カメラ付き歯科用プローブ」とは、上記共通関係も踏まえ、“撮像器付き歯科用器具”である限りにおいて共通する。
　そして、引用文献５発明Ａの「流体注入通路は、手器具１０の軸１４の先端部及び／又はブレード部１６に形成された外部へとエアを流動させる流出口４６を設け」ることは、上記対応関係を踏まえ、
「エア噴射手段は、撮像器付き歯科用器具の軸１４の先端部及び／又はブレード部１６に形成されたエア噴射口を設け」ることと言い改められるところ、
　これは本件訂正発明１の「エア噴射手段は、先端部にエア噴射口を有するノズル部を設け、前記ノズル部は前記探針部の軸方向に添って配置され、前記エア噴射口は、前記探針部の外側及び先端よりやや上方に設けることにより、前記探針部に添ってエアが噴射するコアンダ効果を得ることができるように構成」することと、
“エア噴射手段は、撮像器付き歯科用器具の先端付近に形成されたエア噴射口を備え”るものである限りにおいて共通する。
　したがって、本件訂正発明１と引用文献５発明Ａとは、以下の点で一致しているということができる。 
  
 ＜一致点＞
「診察と治療の少なくとも一方を、撮像器による歯周部の映像を介して、診察と治療の少なくとも一方をすることができるように構成した撮像器付き歯科用器具において、
　前記撮像器による歯周部の映像は、撮像器に有線を介して接続されている表示部に表示される映像であるとともに、
　前記歯周部にエアを噴射するエア噴射手段を設け、
　前記エア噴射手段は、撮像器付き歯科用器具の先端付近に形成されたエア噴射口を備えた撮像器付き歯科用器具。」
　そして、本件訂正発明１と引用文献５発明Ａとは、以下の４点で相違する。
＜相違点１−１＞ 
　本件訂正発明１は、歯周部に対し、歯周部の深さの測定を行う探針部と先端に前記探針部を有するグリップ部とを備えた歯科用プローブによる診察を行うのに対し、引用文献５発明Ａは、歯周部（「歯肉縁下歯面部位」又は「歯周ポケット」）に対し診察及び治療をするものである点。
＜相違点１−２＞ 
　“撮像器”に関し、本件訂正発明１では超小型カメラであるのに対し、引用文献５発明Ａでは光学ヘッドである点。
＜相違点１−３＞
　“撮像器付き歯科用器具”に関し、本件訂正発明１では、カメラ付き歯科用プローブであるのに対し、引用文献５発明Ａでは、光学ヘッド付き歯科用手器具である点。
＜相違点１−４＞
　“エア噴射手段は、撮像器付き歯科用器具の先端付近に形成されたエア噴射口を備え”ることに関し、本件訂正発明１は、エア噴射手段は、先端部にエア噴射口を有するノズル部を設け、前記ノズル部は探針部の軸方向に添って配置され、前記エア噴射口は、前記探針部の外側及び先端よりやや上方に設けることにより、前記探針部に添ってエアが噴射するコアンダ効果を得ることができるように構成しているのに対し、引用文献５発明Ａでは、エア噴射手段（流体注入通路）は、手器具１０の軸１４の先端部及び／又はブレード部１６に形成された外部へとエアを流動させるエア噴射口（外部へとエアを流動させる流出口４６）を設けるものであり、またコンアンダ効果については不明である点。
イ　相違点についての判断  
（ア）相違点１−２について  
　事案に鑑み、まず相違点１−２から検討する。
　引用文献５発明Ａの「光学ヘッド」は、「第２光ファイバ束２０を介して発信」するものであるから、実質的には“超小型カメラ”であるともいえ、相違点１は実質的な相違点ではない。
　仮に相違点１が実質的な相違点であるとしても、上記引用文献１事項は、「歯周ポケットの治療を・・・歯科用撮像用超小型カメラ２３０Ｂによる・・・撮像画像を介して、処置をすることができるように構成した」ものであるところ（上記２（１）イ）、かかる引用文献１事項の「歯科用撮像用超小型カメラ」を引用文献５発明Ａに適用して、相違点１に係る本件訂正発明１の構成とすることは何ら困難なことではない。
（イ）相違点１−１及び相違点１−４について
　次に、相違点１−１及び相違点１−４につき検討する。
（ａ）まず、上記２（２）で指摘したように、引用文献２事項は「歯周ポケット深度測定器１０１において、歯周ポケット深度を測定するためのプローブ１０２と、先端に前記プローブ１０２を有するグリップ部としても機能する筺体２０１とを備えること。」というものであるところ、引用文献２事項の「歯周ポケット深度を測定するためのプローブ１０２」は“探針部”と表現でき、同様に引用文献２事項の「グリップ部としても機能する筺体２０１」は“グリップ部”とも表現できるから、引用文献２事項は、“歯周ポケット深度測定器１０１において、先端に探針部を有するグリップ部を備えること”と言い改められる。
（ｂ）また、上記２（３）で指摘したように、引用文献３事項は「歯科の照射診療に使用する光照射器１において、歯牙Ｔの根管Ｔ１の撮像を行う光照射用ヘッド３と、先側部に前記光照射用ヘッド３を有するグリップ形状の光照射器本体２とを備えること」というものであるところ、引用文献３事項の「歯牙Ｔの根管Ｔ１の撮像を行う光照射用ヘッド３」は、“探針部”とも解され得るから、引用文献３事項は、“歯科の診療に使用する光照射器１において、先端に探針部を有するグリップ部を備えること”と言い改められる。そして、上記引用文献２事項及び引用文献３事項は同様の技術であり、従来周知の技術事項（以下「従来周知の技術事項Ａ」という。）と言い得るものである。
（ｃ）次に、上記従来周知の技術事項Ａの引用文献５発明Ａへの適用容易性について検討する。引用文献５の「請求の範囲」における「内視鏡的視覚化のもとに歯肉縁下歯面から歯垢と歯石の沈着物を除去するための歯科用器具」（上記２（４）ア（ア））との記載、引用文献５発明Ａの認定の主なよりどころである「本発明の一実施例は歯肉繰下のスケーリング及び根面平滑化治療を実施するための手器具である。そのような手器具１０は柄１２、軸１４及び動作部即ちブレード１６を有する。」（上記２（４）ア（エ））との記載からすれば、引用文献５発明Ａは、ブレード１６を用いた歯科治療を行う機能を本質的機能としている。
　そうすると、かかる特徴を有する引用文献５発明Ａに、従来周知の技術事項Ａを適用して、治療機器たるブレードに代えて（治療機器としては機能し得ない）探針部を設けることは、引用文献５発明Ａの本質的機能を損なうもので、阻害事由があるものといわざるを得ない。
　よって、相違点１−１に係る本件訂正発明１の構成を容易想到ということはできない。
（ｄ）さらに、念のため、仮に相違点１に係る本件訂正発明１の構成が、引用文献５発明Ａ及び従来周知の技術事項Ａから容易想到であるとして、相違点１−４について検討する。
（ｅ）上記第２（７）にて指摘したように、引用文献８事項は、「歯周ポケット等の根管内観察装置において、プローブ４による歯周部の処置部にエアを噴出するノズルチューブ４４をプローブ４の側部に沿って付設すること。」というものであるところ、引用文献５発明Ａと引用文献８事項とは、いずれも、歯科用器具である点で技術分野が共通しており、引用文献８事項を引用文献５発明Ａに適用することを試みること自体には格別困難性はない。
　しかしながら、引用文献８事項を引用文献５発明Ａに適用したとしても、引用文献５Ａは「手器具１０の軸１４の先端部及び／又はブレード部１６に形成された外部へとエアを流動させるエア噴射口」であるところ、（備え得ると仮定した）探針部に沿ってエアを噴出させるべく「噴射口」を「探針部の外側及び先端よりやや上方に設ける」ことまでが容易とはいえないし、まして、「探針部に添ってエアが噴射するコアンダ効果を得ることができるように構成」することは、到底想到し得ないものという他はない。
（ｆ）以上を総合すると、相違点１−１及び相違点１−４に係る本件訂正発明１の構成を容易想到ということはできない。
（ウ）申立人の意見について
　申立人は、上記令和１年５月１０日提出の意見書において、歯科用器具においてコアンダ効果を得ることができるように構成することは、取消理由通知書（決定の予告）において例示された引用文献１１（特開２００１−３２１３９１号公報）、引用文献１２（特開平２−２２８９５７号公報）に示されるように従来周知の技術事項である旨主張している。しかしながら、引用文献１１、１２にはコアンダ効果に関する記載はあるものの、その流路の形状が引用文献５発明Ａと大きく異なり、上記相違点１−４を容易想到とする根拠たり得ない。
　また申立人は、上記令和１年５月１０日提出の意見書において、歯科用プローブにおいて、プローブによる診察部にエアを噴射するエア噴射口を有するノズル部を歯科用プローブの軸方向に添って配置することは、特開２０００−０８１３１７号（甲１４）に示されているとも主張する。しかしながら、甲１４にはコアンダ効果に関する直接的な記載は見あたらない。
　よって、申立人の意見は採用し得ない。
ウ　小括
　したがって、相違点１−２に係る本件訂正発明１の構成は容易想到であるものの、相違点１−１及び１−４に係る本件訂正発明１の構成は、引用文献５発明Ａ、引用文献１事項及び引用文献８事項、並びに従来周知の技術事項から当業者が容易に想到し得たものとはいえないから、他の相違点１−３について検討するまでもなく、本件訂正発明１は当業者が容易に発明し得たものとすることはできず、本件訂正発明１に係る特許は、取消理由通知書（決定の予告）に記載した取消理由によって取り消すことはできない。
（２）本件訂正発明２
ア　対比
　本件訂正発明２は、本件訂正発明１のカメラ付き歯科用プローブに、実質的に「探針部に添設した超小型カメラ」という限定を付すものである。  
　そこで、本件訂正発明２と引用文献５発明Ａとを対比すると、上記（１）アの一致点及び相違点１−１ないし相違点１−４を有し、さらに、以下の点で相違する。 
 ＜相違点２−１＞ 
　本件訂正発明２においては、撮像器たる超小型カメラが探針部に添設されているのに対し、引用文献５発明Ａにおける撮像器たる光学ヘッド２４はそのようなものではない点。  
 　 
イ　相違点についての判断  
　相違点１−１及び相違点１−４については、上記（１）における検討と同様に、当業者が容易に想到し得たものとすることはできない。
　したがって、相違点２−１等他の相違点について検討するまでもなく、本件訂正発明２に係る特許は、取消理由通知書（決定の予告）に記載した取消理由によって取り消すことはできない。
（３）本件訂正発明３
ア　対比
　本件訂正発明３は、本件訂正発明１のカメラ付き歯科用プローブに、「映像は、等倍あるいは等倍乃至所要の拡大倍率による拡大映像であること」という限定を付すものである。  
　そこで、本件訂正発明３と引用文献５発明Ａとを対比すると、上記（１）アの一致点及び相違点１−１ないし相違点１−４を有し、さらに、以下の点で相違する。 
＜相違点３−１＞ 
　本件訂正発明３においては、映像は、等倍あるいは等倍乃至所要の拡大倍率による拡大映像であるのに対し、引用文献５発明Ａにおける画像（映像）はそのようなものか明らかでない点。  
 　  
イ　相違点についての判断  
　相違点１−１及び相違点１−４については、上記（１）における検討と同様に、当業者が容易に想到し得たものとすることはできない。
　したがって、相違点３−１等他の相違点について検討するまでもなく、本件訂正発明３に係る特許は、取消理由通知書（決定の予告）に記載した取消理由によって取り消すことはできない。
（４）本件訂正発明４
ア　対比
　本件訂正発明４と引用文献５発明Ｂとを対比すると以下のとおりである。　引用文献５発明Ｂの「映像を介する第２光ファイバ束２０」は、本件訂正発明４の「信号ケーブル」に相当することは明らかである。以下同様にそれぞれの機能及び技術常識を踏まえれば、引用文献５発明Ｂの「流体注入通路」は「エア噴射手段」に、「流体注入通路の管腔１１０」は「エア噴射手段のエア供給管路の中空部分」に、「取り囲まれ挿入されている」は「配線して構成する」に、「外部へとエアを流動させる流出口４６」は「エア噴射口」に、各々相当する。
　また、引用文献５発明Ｂの「隣接して配置され」ることは、本件訂正発明４の「添設」されることに相当し、引用文献５発明Ｂの「歯周ポケット」は、本件訂正発明４の「歯周部」に相当する。
　次に、引用文献５発明Ｂの「光学ヘッド２４」と本件訂正発明４の「超小型カメラ」とは、“撮像器”である限りにおいて共通する。
　また、引用文献５発明Ｂの「光学ヘッド２４付き歯科用手器具１０」と本件訂正発明４の「カメラ付き歯科用プローブ」とは、上記共通関係も踏まえ、“撮像器付き歯科用器具”である限りにおいて共通する。
　また、引用文献５発明Ｂの「手器具１０に光学ヘッド２４をその動作部即ちブレード１６に隣接して配置するとともに歯周ポケットにエアを噴射する流体注入通路を設ける」ことは、上記対応関係を踏まえ、
「撮像器付き歯科用器具に撮像器をその動作部即ちブレード１６に添設するとともに歯周部にエアを噴射するエア噴射手段を設ける」ことと言い改められるところ、
　これは本件訂正発明４の「歯周部の深さの測定を行う探針部と、先端に前記探針部を有するグリップ部と、を備えた歯科用プローブの前記探針部に超小型カメラを添設するとともに前記探針部による歯周部の診察部にエアを噴射するエア噴射手段を添設する」ことと、
“撮像器付き歯科用器具に撮像器を添設するとともに歯周部にエアを噴射するエア噴射手段を設ける”ことである限りにおいて共通する。
　また、引用文献５発明Ｂの「流体注入通路は、手器具１０の軸１４の先端部及び／又はブレード部１６に形成された外部へとエアを流動させる流出口４６を設け」ることは、上記対応関係を踏まえ、
「エア噴射手段は、撮像器付き歯科用器具の軸１４の先端部及び／又はブレード部１６に形成されたエア噴射口を設け」ることと言い改められるところ、
　これは本件訂正発明４の「エア噴射手段は　先端部にエア噴射口を有するノズル部を設け、前記ノズル部は前記探針部の軸方向に添って配置され、前記エア噴射口は、前記探針部の外側及び先端よりやや上方に設けることにより、前記探針部に添ってエアが噴射するコアンダ効果を得ることができるように構成」されることと、
“エア噴射手段は、撮像器付き歯科用器具の先端付近に形成されたエア噴射口を備え”るものである限りにおいて共通する。
　したがって、本件訂正発明４と引用文献５発明Ｂとは、以下の点で一致しているということができる。
＜一致点＞
「撮像器付き歯科用器具に撮像器を添設するとともに歯周部にエアを噴射するエア噴射手段を設けることにより構成した撮像器付き歯科用器具において、
　前記撮像器の信号ケーブルは、少なくともその一部を前記エア噴射手段のエア供給管路の中空部分に配線して構成するとともに、
　前記エア噴射手段は、撮像器付き歯科用器具の先端付近に形成されたエア噴射口を備えた撮像器付き歯科用器具。」
　そして、本件訂正発明４と引用文献５発明Ｂとは、以下の４点で相違する。
＜相違点４−１＞
　本件訂正発明４においては、撮像器たる超小型カメラが、歯周部の深さの測定を行う探針部と先端に前記探針部を有するグリップ部とを備えた歯科用プローブの前記探針部に添設されているのに対し、引用文献５発明Ｂにおける撮像器たる光学ヘッド２４は、手器具１０の動作部即ちブレード１６に添接されている点。
＜相違点４−２＞ 
　“撮像器”に関し、本件訂正発明４では超小型カメラであるのに対し、引用文献５発明Ｂでは光学ヘッドである点。
＜相違点４−３＞
　“撮像器付き歯科用器具” に関し、本件訂正発明１では、カメラ付き歯科用プローブであるのに対し、引用文献５発明Ａでは、光学ヘッド付き歯科用手器具である点。
＜相違点４−４＞ 
　“エア噴射手段は、撮像器付き歯科用器具の先端付近に形成されたエア噴射口を備え”ることに関し、本件訂正発明４は、エア噴射手段は　先端部にエア噴射口を有するノズル部を設け、前記ノズル部は前記探針部の軸方向に添って配置され、前記エア噴射口は、前記探針部の外側及び先端よりやや上方に設けることにより、前記探針部に添ってエアが噴射するコアンダ効果を得ることができるように構成しているのに対して、引用文献５発明Ｂは、エア噴射手段（流体注入通路）は、撮像器付き歯科用器具（手器具１０）の軸１４の先端部及び／又はブレード部１６に形成されたエア噴射口（外部へとエアを流動させる流出口４６）を設けるものであり、またコアンダ効果については不明である点。
イ　相違点についての判断  
（ア）相違点４−２について
　事案に鑑み、まず相違点４−２から検討する。
　相違点４−２については、上記（１）イ（ア）における相違点１−２の検討と同様に、実質的な相違点でないか、さもなくとも引用文献５発明Ｂ及び引用文献１事項に基づいて、当業者が容易に想到することができたものである。 
（イ）相違点４−１及び相違点４−４について
　相違点４−１は、上記（１）アにて示した相違点１−１と同様の相違点を前提とするものであり、また相違点４−４は相違点１−４と同様であるところ、それら相違点１−１及び相違点１−４が容易想到ということはできないことは、上記（１）イ（イ）及び（ウ）にて指摘したとおりである。
ウ　小括
　よって、相違点４−２に係る本件訂正発明４の構成は容易想到であるものの、相違点４−１及び４−４に係る本件訂正発明４の構成は、引用文献５発明Ｂ、引用文献１事項及び引用文献８事項、並びに従来周知の技術事項から当業者が容易に想到し得たものとはいえないから、他の相違点４−３について検討するまでもなく、本件訂正発明４は当業者が容易に発明し得たものとすることはできず、本件訂正発明４に係る特許は、取消理由通知書（決定の予告）に記載した取消理由によって取り消すことはできない。
（５）本件訂正発明５
ア　対比
　本件訂正発明５は、本件訂正発明４のカメラ付き歯周診察処置具に、実質的に「探針部による歯周部の診察部を照明する照明手段を添設し」という限定を付すものである。
　そこで、本件訂正発明５と引用文献５発明Ｂとを対比すると、上記（４）アの一致点及び相違点４−１ないし相違点４−４を有し、さらに、以下の点で相違する。 
 ＜相違点５−１＞ 
 　本件訂正発明５においては、探針部による歯周部の診察部を照明する照明手段を添設しているのに対し、引用文献５発明Ｂにおいては、その点が明らかでない点。  
　
イ　相違点についての判断
　相違点４−１及び相違点４−４について、上記（１）における検討と同様に、当業者が容易に想到し得たものとすることはできない。
　したがって、相違点５−１等他の相違点について検討するまでもなく、本件訂正発明５に係る特許は、取消理由通知書（決定の予告）に記載した取消理由によって取り消すことはできない。
（６）本件訂正発明６
ア　対比
　本件訂正発明６は、本件訂正発明４のカメラ付き歯周診察処置具に、実質的に「探針部を光照射部材にて形成し、さらに探針部自体を発光するための照明手段を備えることにより前記歯科用プローブの前記探針部の歯周部の診察を」「探針部自体の発光による照射にて診察部位を直接照射しつつ」という限定を付すものである。  
　そこで、本件訂正発明６と引用文献５発明Ｂとを対比すると、上記（４）アの一致点及び相違点４−１ないし相違点４−４を有し、さらに、以下の点で相違する。 
 ＜相違点６−１＞ 
 　本件訂正発明６においては、探針部を光照射部材にて形成し、さらに診察具自体を発光するための照明手段を備えることにより歯周診察処置具の診察具による歯周部の診察を診察具自体の発光による照射にて診察部位を直接照射しつつ行うのに対し、引用文献５発明Ｂはそのようなものではない点。　
イ　相違点についての判断
　相違点４−１及び相違点４−４について、上記（１）における検討と同様に、当業者が容易に想到し得たものとすることはできない。
　したがって、相違点６−１等他の相違点について検討するまでもなく、本件訂正発明６に係る特許は、取消理由通知書（決定の予告）に記載した取消理由によって取り消すことはできない。
（７）本件訂正発明７〜９
　本件訂正発明７ないし９は、本件訂正発明６の発明特定事項を全て含み、さらに限定を付すものである。そして、本件訂正発明６に係る特許を取消理由通知書（決定の予告）に記載した取消理由により取り消すことはできないことは、上記（６）にて説示したとおりである。したがって、本件訂正発明７ないし９に係る特許も、取消理由通知書（決定の予告）に記載した取消理由により取り消すことはできない。
（８）取消理由通知書（決定の予告）に記載した取消理由に関する判断のまとめ
　したがって、本件訂正発明１ないし９に係る特許は、取消理由通知書（決定の予告）に記載した取消理由により取り消すことはできない。
第５　取消理由通知（決定の予告）において採用しなかった特許異議申立理由について
　申立人の異議申立書の「４　申立ての理由」「（４）具体的理由」の「（４−１）」欄における「理由１（特許法第３６条第６項第１号違反）」及び「（４−２）」欄における「理由２（特許法第３６条第６項第２号違反）」については、いずれも本件訂正により解消したことは明らかである。
第６　むすび  
　以上のとおりであるから、取消理由通知（決定の予告）に記載した取消理由及び特許異議申立書に記載した特許異議申立理由によっては、本件請求項１〜９に係る特許を取り消すことはできない。  
　また、他に本件請求項１〜９に係る特許を取り消すべき理由を発見しない。  
　よって、結論のとおり決定する。
【異議決定日】
令和１年６月２６日（２０１９．６．２６）
【訂正の要旨】
審決（決定）の【理由】欄参照。
（５４）【発明の名称】
カメラ付き
歯科用プローブ
【発明の詳細な説明】
　【技術分野】
　【０００１】
　本発明は、歯周の一般的な診察あるいは歯周疾患の進行を観察するとともに口腔内清掃および歯周治療時に歯の表面から歯石等の沈着物を除去したり歯周ポケット内の貼薬を行うのに用いる手用器具である歯周診察処置具に関するもので、特に当該歯周診察処置具による診察および処置を歯周部の診察および処置部の映像を介して診察および処置をすることができるカメラ付き
歯科用プローブ
　【０００２】
　歯周疾患は、歯肉炎が進行して炎症が歯肉の深部に波及すると歯肉組織が破壊され、歯肉と歯牙との間に歯周ポケットという溝が形成される。この歯周疾患の治療のためには歯周ポケットの深さや歯肉炎の進行状態を知る必要がある。このために従来から棒状の金具からなる把持部の先端に、くの字状に曲折したステンレス等の硬質金属からなる探針部が取り付けられた構成の歯周ポケットの深さ測定用プローブが用いられている。
　【０００３】
　このプローブは、探針部にその先端部から一定間隔の目盛りが付されており、歯周ポケット内に探針部を挿入した際に目盛りを読み取ることで歯周ポケットの深さを測定することができるようになっている。またこの歯周ポケットの診断は、開業医の日常臨床において患者の約６割が健康保険の診察として義務付けられている頻度の高い医療行為であり、日常の診療では有用性が極めて高いものである。
　【０００４】
　しかるに、歯周ポケットの深さを測定する従来の技術として特許文献１に示される深さ測定器の発明が公知となっている。この発明は、筒状の目盛りカバー内に配されかつ光源に接続されたウエッジプリズム及び複数本の投光用ファイバを介して歯周ポケットの底面に投光し、その反射光をウエッジプリズム及び複数の受光用ファイバを介して受光し、その受光量を予め測定しておいた最大受光量や、隣り合う受光用ファイバの受光量と比較して空間の深さを非接触で測定するというものである。
　【先行技術文献】
　【特許文献】
　【０００５】
　【特許文献１】特許第３０１９８５７号公報
　【発明の概要】
　【発明が解決しようとする課題】
　【０００６】
　前記特許文献１に示された従来の発明は、歯周ポケットの底面に投光した際の反射光の量を検知することにより歯周ポケットの深さを非接触で測定できるものではあるが、光の反射は歯周ポケット内の環境で大きく影響され、常に正確に測定することが困難である。更に目盛りカバーを歯周ポケット内に挿入したときにぶれないように保持することは術者にとっては熟練を要し、操作が容易でないなどの問題がある。また歯周ポケット内に水もしくはエアを噴射することがあるが、噴射量や詳細な作動方法が記載されていない。更に、歯周ポケット内にエアを噴射する際に、歯肉の軟組織内に気泡が発生することが想定されるが、これを防止する対策も記載されていない。
　【０００７】
　そこで本願出願人は、前記特許文献１記載の発明における欠点を除去し、歯牙とその周囲の歯肉との間に生じる歯周ポケットの深さを、患者に苦痛を与えることなく測定し、更に歯周ポケット内における歯根面の歯石や異物の存在、及びその付着位置などを目視で確認することのできる歯科用プローブを特願２０１１−１５２３７１にて提案したところであります。
　【０００８】
　前記発明の歯科用プローブは、患部に触診可能な探針部とグリップ部とを備えた歯科用プローブにおいて、後端部にエア供給管路が接続されかつ先端部にエア噴射口を有するノズル部を前記探針部の軸方向に添って設けたことを特徴とするものである。
　【０００９】
　そして前記歯科用プローブは、探針部に添ってエア噴射ノズルを設けたことにより歯周ポケットに対して噴射する気流にコアンダ効果が得られ、または中空の探針部先端からエアを噴射するなどにより、噴射エアで歯周ポケットを開くことができ、しかも噴射エアの圧力を制御しかつエアの温度を体温に近似した温度に制御して噴射することにより、患者に苦痛を与えることなく歯周ポケットの深さ測定ができ、また歯周ポケット内における歯根面の歯石や異物の存在、及びその付着位置などを目視で確認することが可能になる。また、歯石や異物の有無をあらかじめ目視にて確認可能になるため、歯周ポケット内の障害物を避けて正確な歯周ポケットの深さを探針にて測定することが可能になるというものである。
　【００１０】
　そこで本発明は、前記先願の発明における歯科用プローブの発明に加えて歯周診察にとどまらず適切な処置を遂行することのできる歯周診察処置具の提供を目的とするもの
である。
　【課題を解決するための手段】
　【００１１】
　前記課題を解決する本発明の請求項１は、
歯周部の深さの測定を行う探針部と、先端に前記探針部を有するグリップ部と、を備えた歯科用プローブによる
察を
察部
察を
歯科用プローブ
察部
有線又は無線を介して接続されている
とともに、前記探針部による歯周部の診察部にエアを噴射するエア噴射手段を設け、前記エア噴射手段は、先端部にエア噴射口を有するノズル部を設け、前記ノズル部は前記探針部の軸方向に添って配置され、前記エア噴射口は、前記探針部の外側及び先端よりやや上方に設けることにより、前記探針部に添ってエアが噴射するコアンダ効果を得ることができるように構成した
　【００１２】
　請求項２は、
歯周部の深さの測定を行う探針部と、先端に前記探針部を有するグリップ部と、を備えた歯科用プローブの前記探針部に
察部
察を
歯科用プローブ
察部
有線又は無線を介して接続されている
とともに、前記探針部による歯周部の診察部にエアを噴射するエア噴射手段を設け、前記エア噴射手段は、先端部にエア噴射口を有するノズル部を設け、前記ノズル部は前記探針部の軸方向に添って配置され、前記エア噴射口は、前記探針部の外側及び先端よりやや上方に設けることにより、前記探針部に添ってエアが噴射するコアンダ効果を得ることができるように構成した
　【００１３】
　請求項３は、請求項１または２記載のカメラ付き
歯科用プローブ
有線又は無線を介して接続されている
　【００１５】
　請求項４は、
歯周部の深さの測定を行う探針部と、先端に前記探針部を有するグリップ部と、を備えた歯科用プローブの前記探針部に
前記探針部
察部
歯科用プローブ
して構成するとともに、前記エア噴射手段は、先端部にエア噴射口を有するノズル部を設け、前記ノズル部は前記探針部の軸方向に添って配置され、前記エア噴射口は、前記探針部の外側及び先端よりやや上方に設けることにより、前記探針部に添ってエアが噴射するコアンダ効果を得ることができるように構成した
　【００１７】
　請求項５は、
歯周部の深さの測定を行う探針部と、先端に前記探針部を有するグリップ部と、を備えた歯科用プローブの前記探針部に
前記探針部
察部
察部
歯科用プローブ
して構成するとともに、前記エア噴射手段は、先端部にエア噴射口を有するノズル部を設け、前記ノズル部は前記探針部の軸方向に添って配置され、前記エア噴射口は、前記探針部の外側及び先端よりやや上方に設けることにより、前記探針部に添ってエアが噴射するコアンダ効果を得ることができるように構成した
　【００２３】
　請求項６は、
歯周部の深さの測定を行う探針部と、先端に前記探針部を有するグリップ部と、を備えた歯科用プローブの前記探針部に
前記探針部
察部
探針部
探針部
探針部
探針部
歯科用プローブ
して構成するとともに、前記エア噴射手段は、先端部にエア噴射口を有するノズル部を設け、前記ノズル部は前記探針部の軸方向に添って配置され、前記エア噴射口は、前記探針部の外側及び先端よりやや上方に設けることにより、前記探針部に添ってエアが噴射するコアンダ効果を得ることができるように構成した
　【００２４】
　請求項７は、請求項６記載のカメラ付き
歯科用プローブ
　【００２５】
　請求項８は、請求項６記載のカメラ付き
歯科用プローブ
歯科用プローブ
探針部
　【００２６】
　請求項９は、請求項６記載のカメラ付き
歯科用プローブ
察部
　【発明の効果】
　【００２７】
　本発明によれば、見ることが難しい歯周ポケット内を含めた歯周の診察または処置に当たり、歯周診察あるいは処置部の等倍から拡大した映像を介して診察または処置することができ、歯周部の診察あるいは処置の作業性と的確性を向上することができる。
　【００２８】
　特に請求項１〜９によれば、エア噴射手段によるエアーブローにて診察あるいは処置部を開口状態にて診察あるいは処置を遂行することができる利点を有するものである。
　【図面の簡単な説明】
　【００２９】
　【図１】図１は、本発明のカメラ付き
歯科用プローブ
　【図２】図２（ａ）、（ｂ）は、超小型カメラの要部の拡大側面および正面図である。
　【図３】図３（ａ）、（ｂ）は、本発明のカメラ付き
歯科用プローブ
　【図４】図４は、光学素子の接続回路の説明図である。
　【図５】図５は、撮像手段のブロック図である。
　【図６】図６は、本発明のカメラ付き
歯科用プローブ
　【図７】図７は、本発明のカメラ付き
歯科用プローブ
　【図８】図８（ａ）、（ｂ）は、本発明のカメラ付き
歯科用プローブ
　【図９】９図は、エア噴射手段の回路ブロック図である。
　【図１０】図１０は、エア噴射手段の回路ブロック図である。
　【図１１】図１１は、エア噴射手段の回路ブロック図である。
　【図１２】図１２は、エア噴射手段の回路ブロック図である。
　【図１３】図１３は、本発明のカメラ付き
歯科用プローブ
　【図１４】図１４は、本発明のカメラ付き
歯科用プローブ
　【図１５】図１５は、本発明のカメラ付き
歯科用プローブ
　【図１６】図１６は、本発明のカメラ付き
歯科用プローブ
　【図１７】図１７は、本発明のカメラ付き
歯科用プローブ
　【図１８】図１８は、本発明のカメラ付き
歯科用プローブ
　【図１９】図１９は、本発明のカメラ付き
歯科用プローブ
　【発明を実施するための形態】
　【００３０】
　本発明は、歯周診察あるいは処置について使用する診察具あるいは処置具自体に歯周部位の映像を取得するための超小型カメラを添設することにより、目的とする歯周に対する診察あるいは処置部位を目視に頼らずに超小型カメラによる映像にて確認しつつ診察あるいは処置を実施することができるようにしたものである。
　【実施例１】
　【００３１】
　図１は本発明カメラ付き
歯科用プローブ
　当該プローブ１は、グリップ部２の先端に探針部３を設けることにより形成されている。
　【００３２】
　尚、探深部３はグリップ部２の先端部２ｂに設けた装着部１５にその装着部３ａを着脱自在に取り付けることにより構成することができる。
　【００３３】
　そして、探針部３については、歯のう蝕や歯石の付着状態などを触知する用途に応じ、その先端の細い作業部分を鉤型、鈍的形状のものとして形成するものである。
　【００３４】
　また、当該探針部３には、探針部３の先端より約１０ｍｍ近辺に位置せしめて超小型カメラ４を添設してある。
　この超小型カメラ４としては、図２（ａ）、（ｂ）に示すカメラユニット４０により構成されている。
　【００３５】
　前記カメラユニット４０について、図２（ａ）、（ｂ）を参照して詳述する。
　前記カメラユニット４０は、例えば直径１．２ｍｍ、内径約１．１ｍｍ、長さ３ｍｍの円筒状の支持筒４２と、この支持筒４２の一方の端面に光入射端を臨ませて配置した直径Φ１＝１．１ｍｍの集光レンズユニット４３と、支持筒４２内に前記集光レンズユニット４３に対して一定の間隔を隔て対向配置した撮像部４４と、前記支持筒４２の他方の端面側から支持筒４２内に至る範囲に嵌着したカバー部材４５と、前記撮像部４４に接続されるとともにカバー部材４５を貫いて後方側に導出した信号ケーブル４６とを有している。
　【００３６】
　前記撮像部４４は、支持筒４２内において中心を前記集光レンズユニット４３の光軸に一致させた状態で固着した直径１．１ｍｍの円板状の支持基板４７と、外形寸法０．８４×０．７４ｍｍ、厚さ０．１ｍｍのセンサ基板４８ａの表面に画素数３２０×２４０ピクセルとなるようにカラー画素を配列し、中心部が前記集光レンズユニット４３の光軸に一致する状態で取り付けたカラーイメージセンサ（ＣＭＯＳ：Ｃｏｍｐｌｅｍｅｎｔａｒｙ　Ｍｅｔａｌ　Ｏｘｉｄｅ　Ｓｅｍｉｃｏｎｄｕｃｔｏｒ）４８とを具備し、前記信号ケーブル４６の一端側を前記カラーイメージセンサ４８に接続し、他端側を支持基板４７、カバー部材４５を貫いて後方側に導出している。
　【００３７】
　そして、前記超小型カメラ４としての前記カメラユニット４０は、前記リップ部２に設けたコネクタ９に対して、前記信号ケーブル４６の接続端部４６ａをコネクタ接続部１０に着脱自在に装着することにより、前記グリップ部２の中空部１１を介して内蔵される接続ケーブル１２に電気的に接続され、かつグリップ部２の後端部２ａに設けた接続部１４に電気的に接続した外部信号ケーブル１３に電気的に接続することができるように構成されている。
　【００３８】
　そして、前記外部信号ケーブル１３の接続端部１３ａはグリップ部２の前記後端部２ａに設けた接続部１４に対して、着脱自在に接続することができるように構成されている。
　【００３９】
　そして、前記超小型カメラ４としてのカメラユニット４０による映像は、外部信号ケーブル１３を介して表示部（図示しない）、例えばテレビ受像器等にて表示することができるように構成されている。
　また、表示部における歯周部の診察部位の映像については、超小型カメラ４としてのカメラユニット４０による映像上の視野の拡大率により、自由に選択しつつ表示することが可能で、等倍による表示に加えて必要に応じて等倍以上の所要の倍率による拡大した映像を表示することができるように構成するものである。
　【００４０】
　尚、カメラユニット４０による診察部位の撮像手段については、後述の実施例２の駆動制御ユニット（図５）の構成等の手段による撮像が可能であるが、その際の診察部位の照明手段については、実施例２のカメラモジュール２１の構成の発光素子２４による照明手段あるいは、後述の実施例４の照明用ファイバー７０による照明手段を介して診察部位を照明しつつ実施するが、これ以外に従来の歯周診察処置の際に使用するライト等（例えば無影灯）による照明手段を使用しつつ実施することが可能である。
　【００４１】
　尚、図１のプローブ１の探針部３については、これをグリップ部２の先端部２ｂに固着する構成に換えて図１の点線で示すように、探針部３の取り付け部３ａをグリップ部２の先端部２ｂに設けた装着部１５に対して着脱自在に装着することにより構成することもできる。
　【実施例２】
　【００４２】
　図３（ａ）、（ｂ）は、前記実施例１のプローブ１における超小型カメラ４としてのカメラユニット４０について、前記集光レンズユニット４３を、例えば視野角７０度、フォーカスレンジ３−５０ｍｍの光学特性を有するものを採用するとともに前記カメラユニット４０の端面の回りに発光素子２４を配置し、かつその発光素子２４には、発光素子用ケーブル２５の一端が接続され、この発光素子用ケーブル２５は前記信号ケーブル４６とともにカメラケーブル２３内に収納されて前記グリップ部２のコネクタ９に前記接続端部４６ａを含む接続端部２３ａを接続部１０に接続することにより構成したカラーカメラモジュール２１を使用するプローブ１の実施例を示すものである。
　【００４３】
　そこで前記発光素子用ケーブル２５と信号ケーブル４６を含むカメラケーブル２３は、グリップ部２の接続ケーブル１２を介して外部ケーブル１３によりプローブ１の外部に取り出して後述する駆動制御ユニット６１に対してカメラユニット４０の映像を伝送し、また、駆動制御ユニット６１から供給される発光素子駆動電力をグリップ部２に導入した発光素子駆動ケーブル５２から前記発光素子用ケーブル２５に接点部を経て供給する構成を採用することができる。
　【００４４】
　図４は、前記発光素子２４の駆動回路を示すものであり、例えば８個の発光素子２４を並列接続し、発光素子電源部６３から前記発光素子用ケーブル２５を経て供給される直流電圧を各発光素子２４のアノード、カソード間に引加し、これらを点灯駆動するように構成している。
　【００４５】
　次に、図５を参照して前記駆動制御ユニット６１の概略構成について説明する。
　前記駆動制御ユニット６１は、前記プローブ１全体の動作制御を行う制御部６２と、各発光素子２４に駆動電圧（例えばＤＣ３．３Ｖ）を供給する発光素子電源部６３と、前記カメラユニット４０からの画像信号を受信する画像信号受信部６４と、受信した画像信号に基づき所要の診療部のカラー画像を生成するカラー画像生成部６５と、生成したカラー画像を記憶する画像記憶部６６と、前記プローブ１の動作に必要な各種操作ボタン等を搭載した操作パネル６７と、を有している。
　【００４６】
　さらに、本実施例２のプローブ１は、前記カメラユニット４０により撮像し、カラー画像生成部６５により生成したカラー画像を画面表示するカラー液晶ディスプレイ等からなるカラー画像表示部６８を備えている。
　また、当該カラー画像表示部６８に表示するカメラユニット４０による映像については、歯周部位の診察部位の映像をそのままの等倍の表示に加えてこれを映像視野上の必要部位のみを拡大して表示したり、あるいは必要な倍率による拡大映像を表示することができるように制御部６２によって制御しつつ実施することができるように構成する。
　【００４７】
　尚、あらかじめ拡大率を選定した映像、段階的な倍率の拡大映像や、診察の必要に応じた拡大映像あるいは必要部位の拡大映像を表示しつつ実施することができるように構成することが可能である。
　また、前記カラー画像生成部６５については、これを必要に応じてカラー画像以外の白黒画像を生成する画像生成部による実施も勿論可能である。
　【００４８】
　以上の実施例１，２のプローブ１によれば、探針部３による所要の診療を、診療部を目視に加えて超小型カメラ４を介する表示部６８の映像によって確認しつつ遂行することが可能となる。
　すなわち、超小型カメラ４で歯周ポケットの近くから直接ポケット内を映像で見られるため、これまでは診察できなかった歯周軟組織内面や歯根面の病変を詳細に観察可能となり、各部、全体の充血、出血、炎症、変色などの病変の有無やその進行の様子を映像で正確に観察して適正な診断が可能となる。
　【００４９】
　また、従来のカメラ無しプローブ１の探深部３による歯周ポケット深さの測定に際して、誤って歯石や異物などを底として測ってしまう誤りがあったが、この様な誤りを未然に防ぐことが可能となる。
　【実施例３】
　【００５０】
　図６は、本発明のカメラ付き
歯科用プローブ
　尚、図中６０はプローブ、５９は結束バンドを示すものである。
　【実施例４】
　【００５１】
　図７は、本発明のカメラ付き
歯科用プローブ
　そして、図中の７１は照明用ファイバー７０としてのロッドファイバーで、このロッドファイバー７１は、カメラユニット４０の信号ケーブル４６とともに結束された元管ケーブル７２を介して、当該元管ケーブル７２の接続端部７２ａを前記グリップ部２のコネクタ９に対してコネクタ接続部１０に接続され、かつ前記グリップ部２の接続ケーブル１２により外部ケーブル１３に接続されるとともに照明用ロッドファイバー７１に対する発光素子（図示しない）の図示しない駆動電圧を介して前記図５の駆動制御ユニット６１の発光素子電源部６３および画像信号受信部６４にそれぞれ接続することにより構成し、前記実施例２と同様に診療部位の映像を確認しつつ所要の診察を実施することができる。
　尚、図中の元管ケーブル７２は、信号ケーブル４６用の分岐管７３とロッドファイバー７１の光束射出端７１ａの分岐管７４とに分岐することにより構成されている。
　【実施例５】
　【００５２】
　図８（ａ）、（ｂ）は、本発明のカメラ付き
歯科用プローブ
　【００５３】
　図８（ａ）に示す本実施例５のプローブ１は、探針部３にエア噴射手段５０としてのエア噴射ノズル５１を添設することにより構成する。そして前記エア噴射ノズル５１は、先端にエア噴射口５２を有するとともに探針部３の先端方向に添って曲折される分岐管５３はカメラユニット４０の信号ケーブル４６の分岐管５４とともに元管ケーブル５５に接続され、元管ケーブル５５の後端接続部５５ａが前記グリップ部２のコネクタ接続部１０を介してコネクタ９に接続される。
　また、図８（ｂ）に示すようにグリップ部２の後端部２ａには圧縮空気源５７のエア供給管路７から圧縮空気を供給するエアチューブ５６が接続部５８を介して接続されている。
　【００５４】
　また、プローブ１の撮像手段としてのカメラユニット４０の信号ケーブルについては、前記エア噴射手段５０のエア供給管路７の中空部分を介して配線することができる。
　すなわち、外部信号ケーブル１３はエアチューブ５６，接続ケーブル１２はエア供給管路７としてのグリップ部２の中空部１１に内蔵される接続ケーブル１２，信号ケーブル４６は元管ケーブル５５をそれぞれの中空部を介して配線することができる。
　尚、配線した信号ケーブルによりエア供給に支障をきたすことがないように構成することは当然である。
　【００５５】
　探針部３の曲折形状は基本的には１種類であるが、仮に多種類の形状であっても分岐管５３は探針部先端方向に添わせ、かつエア噴射口５２の位置を探針部３の先端よりやや上方、例えば５〜１０ｍｍ上方に位置するように設定することにより探針部３に添ってエアを噴射するコアンダ効果（物体表面に添って流体が流れる現象）が得られる。
　【００５６】
　またプローブ１に接続された圧縮空気源５７のエア供給管路７は図９に示すように、空気圧源５７から供給される圧縮空気が手動弁８６を開くことにより圧力制御弁８７に送られ、所望の圧力に制御され、その圧力は圧力計８８に表示される。更にエア噴射のＯＮ、ＯＦＦ制御用フットスイッチ８９の開閉によりエアはその先の流量制御コック９０にて流量が制御され、その流量が流量計９１に表示される。そしてこの構成の圧縮空気源５７からのエア供給管路７はグリップ部２の後端部２ａの接続部５８を介してプローブ１に接続されている。プローブ１の先方には探針部３が設けられ、探針部３の先端方向に添って前記エア噴射ノズル５１としての分岐管５３が設けられている。
　更に分岐管５３にはエアの流量制御機構としてエアを逃がす開口部９３が設けられていて、圧縮空気をエア噴射ノズル５１のエア噴射口５２から噴射する圧力が異常圧にならないようにこの開口部９３にて異常圧を逃がす構成になっている。
　【００５７】
　例えば、エア噴射口５３が歯肉などの軟組織に接触し、または埋没してエア噴射口５３が閉ざされ、エア供給管路７内が異常圧になったとしても開口部９３にて異常圧が開放され歯周ポケット内には異常圧のエアが噴射されない。これにより軟組織内の気泡発生が防止することができる。なお開口部９３の形状は円形に限らず楕円やその他の形状でもよく、その面積はエア噴射口５２の面積に近似した値とすることが好ましい。なお開口部９３の面積はエア噴射口５２の面積より小さいとエアの放出量が減少し過ぎ、大きいと放出量が増大し過ぎる。また開口部９３の面積がエア噴射口５２の面積に近似していれば、通常のエア噴射中において開口部９３からエアが漏れても漏れ量は微小であるので正常圧の噴射に支障はない。
　【００５８】
　図１０は、図９において圧縮空気源エア供給管路７にフットスイッチ８９を設けたことに替えてプローブ１のグリップ部２にハンドスイッチ９４を設けた例である。その他の構成は前記図９と同様であり、同様な効果を奏することができる。
　図１１は、図９において分岐管５３に開口部９３を設けたことに替えて、圧縮空気源５７のエア供給管路７に圧力制御機構として安全弁９５を設けた例である。その他の構成は図１０と同様であり、同様な効果を奏することができる。
　【００５９】
　図１２は、図１１において圧縮空気源エア供給管路７にフットスイッチ８９を設けたことに替えてハンドスイッチ９６をプローブ１のグリップ部２に設けた例であり、その他の構成は前記図１１の構成と同様であり、同様な効果を奏することができる。
　更に、上記に加えて、供給エアを体温に近似した温度に加熱する図示しない過熱制御機構を設けて、加熱されたエアを歯周ポケットに噴射する。
　【００６０】
　以上に述べたプローブ１は、探針部３に添ってエアを噴射するエア噴射ノズル５１を設けたことで、探針部３に添ってエアが噴射され、噴射されたエアは歯牙側面に沿って流れるコアンダ効果が得られるために、噴射エアにて歯周ポケットを開くこが可能になる。すなわちエアブローで開口したポケット内の歯石や異物を映像で確認しながらこれらを避けてプローブ１を底まで挿入できるのでポケット深さの誤測定防止が可能である。
　更に流量制御機構にて噴射エアの圧を制御し、また噴射エアの温度を体温に近似した温度に制御して噴射することにより、診療時に温度差による違和感や疼痛を与えることなく歯周ポケットの深さを測定し、更に歯周ポケット内における歯根面の歯石や異物の存在、及びその付着位置を前記映像を介しつつ確認することが可能となる。
　【実施例６】
　【００６１】
　図１３は、本発明のカメラ付き
歯科用プローブ
　【００６２】
　尚、光照射手段としてのＬＥＤ４９の電源部（図示しない）との接続ケーブル４９ａは、グリップ部２の中空部１１を介して外部の電源部に接続することができるように構成する。
　その他の構成は、図１のプローブ１と同様の構成からなりその説明は省略し、図中の同一構成部分については図１と同一番号を付し説明は省略する。
　【００６３】
　そして、従来と通常のプローブ１の使用において探針部３による歯周部の診察には、探針部３自体の照明手段を介して歯周診察部位を照射しつつ超小型カメラ４としてのカメラユニット４０による同部位の表示部における映像を確認しながら診察を実施することができる。
　【００６４】
　さらに当該実施例６は、実施例１のプローブ１に対する図１において説明したが、実施例５（図８）のプローブ１の探針部３について当該実施例を適用した実施も可能であるが、かかる実施例５に適用した図示による説明は省略するが当該実施例の作用効果を実施例５のプローブ１における作用効果に加えた実施が可能である。
　【実施例７】
　【００６５】
　図１４は、本発明のカメラ付き
歯科用プローブ
　【００６６】
　すなわち、図１４のプローブ１の要部において実施例５のプローブ１の構成をそのまま具備することに加えて実施例４の照明用ファイバー７０を添設した実施例を具備するもので元管ケーブル５５および分岐管５４中およびグリップ部２の後端部２ａの接続部５８に接続されるエアーチューブ５６並びにグリップ部２の中空部１１を介して装入配設される照明用ファイバー７０のロッドファイバー７１の光束射出端７１ａを探針部３のカメラユニット４０の添設配置との対応位置に添設することにより構成したものである。
　【００６７】
　よって、当該実施例７は前記実施例４，５の構成を併せて備えたプローブ１であって、図１４はその要部のみを示し、その他の構成については実施例４，５の図７〜１２の構成を具備するもので図と説明は省略する。
　当該実施例７のカメラ付き歯周診察処置具のプローブ１によれば、実施例４，５の構成における作用効果による実施が可能である。
　【実施例８】
　【００６８】
　図１５，１６は、本発明のカメラ付き
歯科用プローブ
　【００６９】
　次に、図１５、図１６を参照して、前述してきた各実施例のカメラ付き歯周診察処置具としてのプローブ１のカメラユニット４０の撮像手段について説明する。
　この実施例においては、プローブ１におけるグリップ部２の後部内に図１５に示すような前記カメラユニット４０の信号出力ケーブル３６に接続した例えばブルートゥス（Ｂｌｕｔｏｏｔｈ）規格（無線による通信プロトコルの一つ）の送信側のトランスミッター６９ａを内蔵し、また前記駆動制御ユニット６１に例えばブルートゥス規格の受信側のトランスミッター６９ｂを付加した構成とし、前記カメラユニット４０により撮像した診察部のカラー画像信号を前記トランスミッター６９ａから前記トランスミッター６９ｂに無線送信する構成としたものである。
　【００７０】
　前記駆動制御ユニット６１としては、プローブ１が接続されるコントロールユニットまたはブルートゥス規格のコンピュータ等の例を挙げることができる。
　図１５、図１６の実施によれば、前記送信側のトランスミッター６９ａの駆動電圧として、前記発光素子２４（例えば駆動電圧ＤＣ３．３Ｖ）の駆動電圧と等しい仕様のものを採用することにより、発光素子駆動ケーブル６３ａの２本の電線を利用して送信側のトランスミッター６９ａの電源配線を行うことができ、送信側のトランスミッター６９ａ専用のケーブル配線を行う必要がなくなり、配線数の省略を図れるとともに、ケーブル断線という不都合な事態の発生を低減することができる。
　【実施例９】
　【００７１】
　図１７は
、カ
　そして、これまでの実施例１〜８については本発明カメラ付き歯周診察処置具につき歯周診察処置のプローブについて適用した実施例を説明したのであるが、これを歯科用スケーラ、すなわち口腔内清掃および歯周治療時に歯の表面から歯石等の沈着物を除去するために用いる歯科手用器具としての歯科用スケーラに適用した実施例について説明する。
　【００７２】
　図１７に図示する歯科用スケーラ３０は、実施例１の探針部３に替えて、グリップ部２の先端部２ｂにスケーラチップ部３１を設けるとともに当該スケーラチップ部３１に超小型カメラ４としてのカメラユニット４０を添設することにより構成したものである。
　尚、スケーラチップ部３１の取付部３１ａをグリップ部２の先端部２ｂに固着する場合に加えてグリップ部２の先端部２ｂの装着部１５に着脱自在に取り付けることも可能である。
　そして、その他の構成は実施例１のプローブ１と同様の構成からなり、同一構成部分については同一番号を付しその説明を省略する。
　【００７３】
　尚、カメラユニット４０をスケーラチップ部３１に添設するに当たっては、歯科用スケーラ３０による歯周治療時の処置に支障をきたすことがないように、例えばスケーラチップ部３１の先端より１０ｍｍ近辺に位置せしめて配設するとともに、超小型カメラ４としてのカメラユニット４０の画角の中にスケーラチップ部３１の先端が映像として望まれる角度（例えば４５°、９０°等）にカメラユニット４０を配設しつつ添設することが好適である。
　【００７４】
　よって、実施例１のプローブ１と同様に歯科用スケーラ３０を使用して歯周治療を行う際には、超小型カメラ４としてのカメラユニット４０による映像を介して治療部位を確認しつつ処置することができる。
　【００７５】
　尚、カメラユニット４０による映像については実施例１のプローブ１による撮像手段と同様で、治療部位の照明手段についても、同様の方法により実施するもので、プローブ１の実施と同様である。
　また、図１７のグリップ部２の後端部２ａの構成については、図１と同一であるので説明を省略する。
　さらに、実施例２のカメラモジュール２１による実施についても図３〜図５による構成にて同様の実施が可能でその具体的な説明および図示を省略し、加えて実施例３の図６に図示のプローブ１に替えてこれを歯科用スケーラ（図示しない）を適用した同様の実施が可能であるが詳細な説明と図示は省略する。
　【実施例１０】
　【００７６】
　図１８は
、カ
　前記実施例９においては、実施例１〜３のプローブ１に替えて歯科用スケーラ３０を適用した実施例を説明したのであるが、当該実施例１０は前記プローブ１に対する実施例５の超小型カメラ４としてのカメラユニット４０とエア噴射手段５０を添設した実施例（図８〜１２に図示の実施例）、実施例７の超小型カメラ４としてのカメラユニット４０と照明手段７０を添設した実施例（図１４に図示の実施例）、さらには実施例８の映像手段を適用した実施例を示すものである。
　【００７７】
　尚、図１８については前記実施例７のプローブ１の探針部３に対して超小型カメラ４としてのカメラユニット４０とエア噴射手段５０および照明手段７０を添設した実施例７に替えてスケーラチップ部３１に対してこれらのカメラユニット４０，エア噴射手段５０および照明手段７０を添設した歯科用スケーラ３０を示す実施例を図示するものである。
　【００７８】
　従って、各部構成はそれらの実施例を示す符号を同一構成部分に付したもので、プローブ１の構成以外の構成説明は省略する。
　【００７９】
　当該実施例１０の図１８に図示する歯科用スケーラ３０により前記プローブ１の実施例７の作用効果による実施が可能で、歯科用スケーラ３０による前記実施例９と同様の歯周部位の処置が実施できる。
　【００８０】
　すなわち、歯科用スケーラ３０による本来の口腔内清掃および歯周治療時に当たる歯の表面から歯石等の沈着物を除去する際に、その歯周治療部位の映像を確認しつつ処置することができ、作業性と的確性を向上することができる。
　また、必要に応じてエア噴射手段７０によりエア噴射ノズル５１のエア噴射口５２からエアブローを噴射しつつ必要な処置を実施することが可能である。
　【００８１】
　さて、図１８の歯科用スケーラ３０の構成において、スケーラチップ部３１に超小型カメラ４としてのカメラユニット４０を添設するとともに当該カメラユニット４０の照明用として照明手段７０を添設した前記プローブ１に対する実施例４（図７に図示）の構成による実施が可能である。尚、当該実施例の具体的な図示と説明は省略する。
　【００８２】
　そして、超小型カメラ４としてのカメラユニット４０あるいはカメラモジュール２１を添設することに加えてエア噴射手段５０を添設した実施例５（図８〜１２に図示）の実施例も必要に応じて実施することが可能であるが具体的な図示と説明は省力する。さらに、図１８のスケーラチップ部３１が超音波スケーラやエアスケーラ（図示しない）による実施も可能である。
　【００８３】
　そして、カメラユニット４０による撮像手段については、前記プローブ１の実施例８（図１５，１６に図示）の撮像手段による実施が可能でこの実施例についても具体的な図示と説明は省略する。
　【実施例１１】
　【００８４】
　図１９は
、カ
　当該実施例１１は、前記プローブ１の実施例３（図６に図示）に対応する実施例で、特に超音波スケーラあるいはエアスケーラによる歯科用スケーラ３２に適用した場合を示すものである。
　【００８５】
　尚、図中４、４０および２１については前記プローブ１に添設した超小型カメラ４，カメラユニット４０あるいはカラーカメラモジュール２１をそれぞれ示し、具体的な説明は前記プローブ１における実施例と同様であるので具体的な図示と説明は省略する。
　また、３３はスケーラチップ部３１およびエア噴射手段５０、カメラユニット４０あるいはカラーカメラモジュール２１の制御手段としてのコントローラを示すものである。
　【００８６】
　以上の実施例１〜１１は
、カ
　また
、カ
　【符号の説明】
　【００８７】
　１　　　プローブ
　２　　　グリップ部
　２ａ　　グリップ部後端部
　２ｂ　　グリップ部先端部
　３　　　探針部
　３ａ　　装着部
　３ｂ　　装着端
　４　　　超小型カメラ
　７　　　エア供給管路
　９　　　コネクタ
　１０　　コネクタ接続部
　１１　　中空部
　１２　　接続ケーブル
　１３　　外部信号ケーブル
　１３ａ　接続端部
　１４　　接続部
　１５　　装着部
　２１　　カラーカメラモジュール
　２３　　カメラケーブル
　２４　　発光素子
　２５　　発光素子用ケーブル
　３０　　歯科用スケーラ
　３１　　スケーラチップ部
　３１ａ　取付部
　３２　　歯科用スケーラ
　３３　　コントローラ
　４０　　カメラユニット
　４２　　支持筒
　４３　　集光レンズユニット
　４４　　撮像部
　４５　　カバー部材
　４６　　信号ケーブル
　４６ａ　接続端部
　４７　　支持基板
　４８　　カラーイメージセンサ
　４９　　ＬＥＤ
　４９ａ　接続ケーブル
　５０　　エア噴射手段
　５１　　エア噴射ノズル
　５２　　エア噴射口
　５３　　分岐管
　５４　　分岐管
　５５　　元管ケーブル
　５５ａ　後端接続部
　５６　　エアチューブ
　５７　　圧縮空気源
　５８　　接続部
　５９　　結束バンド
　６０　　プローブ
　６１　　駆動制御ユニット
　６２　　制御部
　６３　　発光素子電源部
　６３ａ　発光素子駆動ケーブル
　６４　　画像信号受信部
　６５　　カラー画像生成部
　６６　　画像記憶部
　６７　　操作パネル
　６８　　カラー画像表示部
　６９ａ　トランスミッター
　６９ｂ　トランスミッター
　７０　　照明用ファイバー
　７１　　ロッドファイバー
　７２　　元管ケーブル
　７２ａ　接続端部
　８６　　手動弁
　８７　　圧力制御弁
　８８　　圧力計
　８９　　フットスイッチ
　９０　　流量制御コック
　９１　　流量計
　９３　　開口部
　９４　　ハンドスイッチ
　９５　　安全弁
　９６　　ハンドスイッチ
（５７）【特許請求の範囲】
　【請求項１】
　
歯周部の深さの測定を行う探針部と、先端に前記探針部を有するグリップ部と、を備えた歯科用プローブによる
察を
察部
察を
歯科用プローブ
　前記超小型カメラによる歯周部の診
察部
有線又は無線を介して接続されている
　
前記探針部による歯周部の診察部にエアを噴射するエア噴射手段を設け、
　前記エア噴射手段は、先端部にエア噴射口を有するノズル部を設け、
　前記ノズル部は前記探針部の軸方向に添って配置され、
　前記エア噴射口は、前記探針部の外側及び先端よりやや上方に設けることにより、前記探針部に添ってエアが噴射するコアンダ効果を得ることができるように構成した
歯科用プローブ
　【請求項２】
　
歯周部の深さの測定を行う探針部と、先端に前記探針部を有するグリップ部と、を備えた歯科用プローブの前記探針部に
察部
察を
歯科用プローブ
　前記超小型カメラによる歯周部の診
察部
有線又は無線を介して接続されている
とともに、
　前記探針部による歯周部の診察部にエアを噴射するエア噴射手段を設け、
　前記エア噴射手段は、先端部にエア噴射口を有するノズル部を設け、
　前記ノズル部は前記探針部の軸方向に添って配置され、
　前記エア噴射口は、前記探針部の外側及び先端よりやや上方に設けることにより、前記探針部に添ってエアが噴射するコアンダ効果を得ることができるように構成した
歯科用プローブ
　【請求項３】
　前記超小型カメラに
有線又は無線を介して接続されている
歯科用プローブ
　【請求項４】
　
歯周部の深さの測定を行う探針部と、先端に前記探針部を有するグリップ部と、を備えた歯科用プローブの前記探針部に
前記探針部
察部
歯科用プローブ
　前記超小型カメラの信号ケーブルは、少なくともその一部を前記エア噴射手段のエア供給管路の中空部分を介して配線
して構成するとともに、
　前記エア噴射手段は、先端部にエア噴射口を有するノズル部を設け、
　前記ノズル部は前記探針部の軸方向に添って配置され、
　前記エア噴射口は、前記探針部の外側及び先端よりやや上方に設けることにより、前記探針部に添ってエアが噴射するコアンダ効果を得ることができるように構成した
歯科用プローブ
　【請求項５】
　
歯周部の深さの測定を行う探針部と、先端に前記探針部を有するグリップ部と、を備えた歯科用プローブの前記探針部に
前記探針部
察部
察部
歯科用プローブ
　前記超小型カメラの信号ケーブルは、少なくともその一部を前記エア噴射手段のエア供給管路の中空部分を介して配線
して構成するとともに、
　前記エア噴射手段は、先端部にエア噴射口を有するノズル部を設け、
　前記ノズル部は前記探針部の軸方向に添って配置され、
　前記エア噴射口は、前記探針部の外側及び先端よりやや上方に設けることにより、前記探針部に添ってエアが噴射するコアンダ効果を得ることができるように構成した
歯科用プローブ
　【請求項６】
　
歯周部の深さの測定を行う探針部と、先端に前記探針部を有するグリップ部と、を備えた歯科用プローブの前記探針部に
前記探針部
察部
探針部
探針部
探針部
　前記エア噴射と前記
探針部
歯科用プローブ
　前記超小型カメラの信号ケーブルは、少なくともその一部を前記エア噴射手段のエア供給管路の中空部分を介して配線
して構成するとともに、
　前記エア噴射手段は、先端部にエア噴射口を有するノズル部を設け、
　前記ノズル部は前記探針部の軸方向に添って配置され、
　前記エア噴射口は、前記探針部の外側及び先端よりやや上方に設けることにより、前記探針部に添ってエアが噴射するコアンダ効果を得ることができるように構成した
歯科用プローブ
　【請求項７】
　前記超小型カメラは、カメラユニットまたはカラーカメラモジュールを使用することにより構成したことを特徴とする請求項６記載のカメラ付き
歯科用プローブ
　【請求項８】
　前記
歯科用プローブ
探針部
歯科用プローブ
　【請求項９】
　前記超小型カメラによる歯周部の診
察部
歯科用プローブ